(57)【要約】【課題】特徴的な音声出力制御を行うことによって遊技興趣を高める遊技機を提供する。【解決手段】本発明に係る遊技機は、大当り遊技の少なくとも一部（例えば、スーパーボーナス）において、該大当り遊技中に第一の楽曲データ（楽曲Ａ（選曲時））を再生させ、該大当り遊技の終了時において再生させている楽曲が第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる第一の場合があることを特徴とする。【選択図】図１８
2020062085.tif 000002
【特許請求の範囲】
【請求項１】
図柄変動ごとに大当りに当選するか否かを判定する当否判定を実行し、前記大当りに当選した場合には当選した図柄変動の終了時に大当り遊技を開始する遊技機であって、
音声出力手段を少なくとも含む演出手段と、
前記演出手段を制御する演出制御手段と、
を備え、
前記演出制御手段は、
前記大当り遊技の少なくとも一部において、該大当り遊技中に第一の楽曲データを再生させ、
該大当り遊技の終了時において再生させている楽曲が前記第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる第一の場合があることを特徴とする遊技機。
【請求項２】
前記第一の楽曲データは、第一楽曲の一部である第一パートから構成されるものであり、
前記演出制御手段によって再生させうる楽曲データには、前記第一の楽曲データと、前記第一パートの最終部分に対して前記第一楽曲において連続している第二パートから開始される第二の楽曲データと、が含まれ、
前記演出制御手段は、前記第一の場合において前記第一の楽曲データの再生を終了させるとき、前記第一パートと前記第二パートとが連続するように前記第二の楽曲データを再生させる請求項１に記載の遊技機。
【請求項３】
前記第二の楽曲データは、前記第二パートの終了部分が前記第一パートの開始部分につながる構成になっており、
前記演出制御手段は、前記第一の場合における前記第一の楽曲データの再生後に、前記第二の楽曲データを繰り返し再生させる請求項２に記載の遊技機。
【請求項４】
前記演出制御手段は、前記大当りの当選を示唆する当選示唆演出を、前記演出手段を制御することによって実行可能であり、
前記演出制御手段は、前記第二の楽曲データを繰り返し再生させている図柄変動において特定の当選示唆演出が実行された場合の少なくとも一部において、該図柄変動の停止後に前記第一の楽曲データを再生させ、該第一の楽曲データの再生を終了させるとき、前記第一パートと前記第二パートとが連続するように前記第二の楽曲データを再生させる請求項３に記載の遊技機。
【請求項５】
前記演出制御手段は、
前記第二の楽曲データを繰り返し再生させている図柄変動において前記大当りに当選し、該図柄変動の終了時に前記大当り遊技が開始された場合の少なくとも一部において、該大当り遊技中に前記第一楽曲とは異なる第二楽曲の一部である第三パートから構成される第三の楽曲データを再生させ、
該大当り遊技の終了時において再生させている楽曲が前記第三の楽曲データの途中部分であるとき、該大当り遊技の終了後の図柄変動に跨がって該第三の楽曲データの再生を継続し、該第三の楽曲データの最終部分を再生させた後に該第三の楽曲データの再生を終了させ、
該第三の楽曲データの再生を終了させるとき、前記第三パートの最終部分に対して前記第二楽曲において連続している第四パートから開始される第四の楽曲データを、前記第三パートと前記第四パートとが連続するように再生させる請求項３又は４に記載の遊技機。
【請求項６】
前記大当り遊技には、第一の大当り遊技と、前記第一の大当り遊技より不利な第二の大当り遊技と、が含まれ、
前記演出制御手段は、前記第二の大当り遊技中に、演出の成否によって当該演出後の有利度合いを示す大当り演出を実行可能であり、
前記演出制御手段は、
前記第二の楽曲データを繰り返し再生させている図柄変動において大当りに当選し、該図柄変動の終了時に前記第二の大当り遊技が開始され且つ該第二の大当り遊技における大当り演出に成功した場合に該第二の大当り遊技中に前記第三の楽曲データを再生させ、
該第二の大当り遊技の終了時において再生させている楽曲が前記第三の楽曲データの途中部分であるとき、該第二の大当り遊技の終了後の図柄変動に跨がって該第三の楽曲データの再生を継続し、該第三の楽曲データの最終部分を再生させた後に該第三の楽曲データの再生を終了させ、
該第三の楽曲データの再生を終了させるとき、前記第四の楽曲データを、前記第三パートと前記第四パートとが連続するように再生させる請求項５に記載の遊技機。
【発明の詳細な説明】
【技術分野】
【０００１】
本発明は、遊技機に関する。
【背景技術】
【０００２】
パチンコ遊技機に代表される遊技機は、液晶ディスプレイ等の演出表示手段に演出画像を表示して遊技興趣を喚起する演出を行う際に、スピーカ等の音声出力手段から演出に即した音声・音楽を出力することが一般的である。
この種の遊技機として、下記の特許文献１を例示する。
【０００３】
特許文献１には、一のＢＧＭ（バックグラウンドミュージック）から他のＢＧＭに切り替える際に、一のＢＧＭをフェードアウトさせつつ（ボリュームを徐々に下げる）、他のＢＧＭをフェードインさせる（ボリュームを徐々に上げる）制御になっている遊技機が開示されている。
【先行技術文献】
【特許文献】
【０００４】
【特許文献１】特開２０１５−１５５０１５号公報
【発明の概要】
【発明が解決しようとする課題】
【０００５】
特許文献１に開示されている遊技機に係る発明は、ＢＧＭの切替による違和感を遊技者に与えにくくすることを目的とするものである。しかしながら、積極的に遊技者の興趣を高めるという観点から未だ改善の余地があった。
【０００６】
本発明は、上記の課題に鑑みなされたものであり、特徴的な音声出力制御を行うことによって遊技興趣を高める遊技機を提供するものである。
【課題を解決するための手段】
【０００７】
本発明によれば、図柄変動ごとに大当りに当選するか否かを判定する当否判定を実行し、前記大当りに当選した場合には当選した図柄変動の終了時に大当り遊技を開始する遊技機であって、音声出力手段を少なくとも含む演出手段と、前記演出手段を制御する演出制御手段と、を備え、前記演出制御手段は、前記大当り遊技の少なくとも一部において、該大当り遊技中に第一の楽曲データを再生させ、該大当り遊技の終了時において再生させている楽曲が前記第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる第一の場合があることを特徴とする遊技機が提供される。
【発明の効果】
【０００８】
本発明によれば、特徴的な音声出力制御を行うことによって遊技興趣を高める遊技機が提供される。
【図面の簡単な説明】
【０００９】
【図１】図１は、遊技機の正面図である。
【図２】図２は、図１に示す領域ＩＩに配設される図柄表示装置を示す図である。
【図３】図３は、図１に示す領域ＩＩＩに配設される操作ボタン群及びその周辺を示す鳥瞰図である。
【図４】図４は、遊技機内に設置される遊技盤を示す図である。
【図５】図５は、遊技機が備える制御構成を示すブロック図である。
【図６】図６は、遊技機が備える機能構成を示すブロック図である。
【図７】図７は、主制御基板における抽選で用いられる抽選テーブルを模式的に示す図である。
【図８】図８は、特図抽選状態及び普図抽選状態による遊技状態の遷移、及び特図変動パターン導出状態の遷移を示した状態遷移図である。
【図９】図９は、始動口入球時処理の処理手順を示すフローチャートである。
【図１０】図１０は、図柄変動開始処理の処理手順を示すフローチャートである。
【図１１】図１１は、楽曲選択表示の具体的な表示態様を示す図である。
【図１２】図１２は、対決ボーナスにおいて実行される大当り演出の内容を模式的に示す図である。
【図１３】図１３は、チャレンジボーナスにおいて実行される大当り演出の内容を模式的に示す図である。
【図１４】図１４は、スーパーボーナスにおいて実行される大当り演出の内容を模式的に示す図である。
【図１５】図１５は、大当り遊技の開始時における選曲カウンタ設定処理の処理手順を示すフローチャートである。
【図１６】図１６は、楽曲選択有効期間における選曲カウンタ設定処理の処理手順を示すフローチャートである。
【図１７】図１７は、選曲カウンタ設定処理によって選択されうる楽曲に係る楽曲データと、各楽曲データに対応するコマンドの具体例を示す図である。
【図１８】図１８は、スーパーボーナス及びスーパーボーナス終了後における音声制御のタイムチャートである。
【図１９】図１９は、スーパーボーナス及びスーパーボーナス終了後における音声制御のタイムチャートである。
【図２０】図２０は、チャレンジボーナス及びチャレンジボーナス終了後における音声制御のタイムチャートである。
【図２１】図２１は、対決ボーナス及び対決ボーナス終了後における音声制御のタイムチャートである。
【図２２】図２２は、確変モード中の図柄変動においてステップアップ演出が行われる場合における音声制御のタイムチャートである。
【発明を実施するための形態】
【００１０】
以下、本発明の実施形態について、図面を用いて説明する。なお、すべての図面において、同様の構成要素には同一の符号を付し、適宜に説明を省略する。また、以下の説明では、「前」「後」「左」「右」「上」「下」とは、特に断りのない限り、図１に示すように遊技機１０を正面側（遊技者側）から見た状態で指称するものとする。
なお、以降の説明における「有利」とは、遊技者に対して有利であることを指し、さらに、特に断りがない限り、いわゆるプレミア画像等の演出上の特典を除き、賞球の獲得量（遊技球の払い出し）に関して有利であることを指す。
【００１１】
＜本発明の特徴＞
本実施形態に係る遊技機１０の詳細を説明する前に、本実施形態に係る発明（以下、本発明）の特徴について説明する。
本実施形態に係る遊技機１０は、いわゆるパチンコ遊技機であり、図柄変動ごとに大当りに当選するか否かを判定する当否判定を実行し、大当りに当選した場合には当選した図柄変動の終了時に大当り遊技を開始する遊技機である。
遊技機１０は、特徴的な構成として、音声出力手段を少なくとも含む演出手段と、演出手段を制御する演出制御手段と、を少なくとも備える。
【００１２】
音声出力手段は、音声を出力する構成であり、例えば、本実施形態ではスピーカ３３によって実現される。
音声出力手段を除く演出手段としては、例えば、本実施形態では演出表示装置８０（メイン表示部８１、サブ表示部８２等）、演出ランプ３５、可動装飾体２２等によって実現される。
ここで挙げた各種の演出手段を制御する演出制御手段としては、例えば、本実施形態では第１副制御基板２００若しくは第１副制御基板２００と第２副制御基板３００の協働によって実現される。或いは、演出制御手段によって実行される処理の内容によっては、第１副制御基板２００によって実現される一部の機能（図６の機能ブロック図参照）が演出制御手段に相当するものと解しうる。
【００１３】
演出制御手段は、大当り遊技の少なくとも一部において、該大当り遊技中に第一の楽曲データを再生させ、該大当り遊技の終了時において再生させている楽曲が第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる第一の場合があることを特徴とする。
言い換えれば、大当り遊技中に再生している第一の楽曲データの途中で該大当り遊技が終了したとしても、最終部分を再生するまでは該第一の楽曲データの再生を継続することを特徴とする。
上記のような特徴を有するので、本発明に係る遊技機は、遊技者は大当り遊技中の再生楽曲を最後まで鑑賞することができる。
【００１４】
ここで「楽曲」とは、複数のパートから構成されるひとまとまりの音楽（音声）である。本実施形態においては、旋律（メロディ）だけではなく、旋律に合わせて発される人声（歌声やセリフ）についても「楽曲」の一部として扱う。「一の楽曲（同一の楽曲）」とは、その楽曲の原曲として一般に認知されているものに限られず、編曲したもの（原曲とテンポが変化したもの、演奏形態を変化したもの（アカペラ等も含む）、複数の楽器で演奏される楽曲から一部の楽器から発せられる音のみを抽出したもの（歌声のみを抽出したものも含む））も含まれる。
また、「楽曲データ」とは、音声出力手段（スピーカ３３）に音声出力させる為に、演出制御手段が読み出し可能な記憶領域（音声ＲＯＭ）に格納されている音声データのうち、上記の「楽曲」に該当するものに係るデータをいう。従って、複数のパート構成を持たないシンプルな効果音に関する音声データは、楽曲データとして扱わない。
【００１５】
なお、本発明を実施する遊技機は、必ずしも一の楽曲を通して再生可能な構成（一の楽曲の全部からなる楽曲データを有している構成）である必要はない。
また、以下の説明では、「楽曲」を時間的に限定した一部について「パート」と称する場合がある。ここで「パート」とは、楽曲を構成する基本構成（前奏、Ａメロ、Ｂメロ、間奏、後奏等）に限られず、基本構成の一部（例えば特徴的なキーフレーズを含む小節）についても「パート」として扱い、又は複数の基本構成をひとまとまりとするもの（例えば１番と２番とから構成される楽曲の１番のみ）についても「楽曲」を時間的に限定したものであれば「パート」として扱う。
【００１６】
以下、本実施形態に係る遊技機１０についてより具体的に説明する。
【００１７】
＜遊技機１０の構造について＞
まず、図１から図４を用いて、遊技機１０の構造について説明する。
図１は、遊技機１０の正面図である。図２は、図１に示す領域ＩＩに配設される図柄表示装置９０を示す図である。図３は、図１に示す領域ＩＩＩに配設される操作ボタン群及びその周辺を示す鳥瞰図である。図４は、遊技機１０内に設置される遊技盤５０を示す図である。
なお、図１から図４に図示される各構成は、本実施形態の遊技機１０を説明する上で必要なものを挙げたに過ぎず、ここに図示しない構成及び機能を遊技機１０に追加してもよい。また、遊技機１０はここに図示する構成の全部を必ずしも備えなくてもよく、本発明の効果を阻害しない範囲で一部の構成又は機能が省かれても良い。
【００１８】
本実施形態の遊技機１０は、いわゆるパチンコ機であり、多数の遊技釘（図示省略）が立設された遊技盤５０の前面領域（以下、遊技領域５０ａと称す）に遊技球を発射し、遊技球が入賞口（例えば、大入賞口５５等）に入球すると賞球が得られる遊技を行うものである。なお、以下の説明では、入賞口に遊技球が入球することを、単に「（入賞口に）入賞する」と表現する場合がある。
【００１９】
遊技機１０は、前後に開口する矩形枠状の外枠１５と、外枠１５の開口前面側に遊技盤５０を着脱可能に保持する中枠（図示省略）と、遊技盤５０の前面側を覆うよう構成された前枠２０と、を備える。
【００２０】
前枠２０は、ヒンジ機構２１により左端側を回動自在に支持され、中枠に対して開閉可能となっている。なお、前枠２０は、シリンダ錠２３により施錠・解錠が可能となっている。
前枠２０は、遊技領域５０ａを覆うように配置された透明部材２５を備え、透明部材２５によって遊技領域５０ａ及び遊技盤５０を透視保護している。
前枠２０は、遊技球を貯留する上球受け皿２７及び下球受け皿２９を備え、上球受け皿２７と下球受け皿２９は上下に離間して前枠２０と一体的に設けられている。
前枠２０は、下球受け皿２９の右側方に操作ハンドル３１を備え、操作ハンドル３１の回動操作によって、上球受け皿２７に貯留された遊技球が遊技領域５０ａに向けて発射されるようになっている。
【００２１】
図３に示すように、上球受け皿２７の上面には、遊技者に操作される操作ボタン群が配置されている。この操作ボタン群には、玉貸ボタン３９ａ、プリペイドカードの返却操作を受け付ける返却ボタン３９ｂ、遊技中に発生する演出を切り替える又は遊技機１０に関わる種々の情報を得るために行う遊技者の操作を受け付けることができる演出ボタン３７、及びそれぞれ上、下、左、右への操作を指示するためのカーソルボタン３８（３８ａ、３８ｂ、３８ｃ、３８ｄ）などが含まれる。
また、上球受け皿２７の側方には、図示しないモータ等のアクチュエータにより動作する可動装飾体２２が設けられている。
【００２２】
下球受け皿２９の下部には、下球受け皿２９に貯留された遊技球を下方へ排出する球抜き機構３６が設けられている。この球抜き機構３６を操作することにより、下球受け皿２９の底面に形成された底面口（図示省略）が開口して、当該底面口から遊技球が自然落下して排出される。
なお、図示は省略するが、上球受け皿２７には、球抜き機構３６と同様に、操作することで貯留している球を下球受け皿２９へ移動させる機構が設けられ、この機構と球抜き機構３６の双方を操作することで、貯留している球を排出することが可能となる。
【００２３】
前枠２０の上枠部３２の左側と右側にそれぞれ一対のスピーカ３３（３３ａ、３３ｂ）が配設されている。また、前枠２０の上枠部３２と左右側枠部３４ａ、３４ｂは光透過性のカバーにより形成されており、その内部にはそれぞれ演出ランプ３５（３５ａ、３５ｂ、３５ｃ）が配設されている。スピーカ３３や演出ランプ３５は、遊技中に発生する演出やエラー演出等と連動して音声出力又は点灯若しくは消灯することができる。
【００２４】
演出表示装置８０は、遊技盤５０の略中央に配設されているメイン表示部８１と、メイン表示部８１の周囲に配設されているサブ表示部８２で構成されている。サブ表示部８２は、さらに、メイン表示部８１の上方に配設されている上サブ表示部８２ａと、メイン表示部８１の左側に配設されている左サブ表示部８２ｂと、メイン表示部８１の右側に配設されている右サブ表示部８２ｃと、を含んでいる。
ここで、メイン表示部８１は、固定式の液晶装置であり、上サブ表示部８２ａ、左サブ表示部８２ｂ、右サブ表示部８２ｃは、図示しないモータ等のアクチュエータにより動作する可動式の液晶装置である。
【００２５】
メイン表示部８１は、後述する第１特別図柄表示装置９１又は第２特別図柄表示装置９２における変動表示に連動して行われる装飾図柄の変動表示を表示することができ、さらに他の各種の演出も表示することができる。
メイン表示部８１に表示される装飾図柄の変動表示において、表示される装飾図柄は、３つの図柄列をなす。各図柄列における装飾図柄の変動表示の方向は特に制限されず、例えば、上下方向、左右方向、奥行き方向、又はこれらの組合せ（斜め方向）のいずれであってもよい。
ここで、奥行き方向とは、実際にはメイン表示部８１の表示画面上の平面的な変動表示であるにも関わらず、メイン表示部８１の奧方から手前方向又はその逆方向に装飾図柄が変動表示しているかのように認識させる手法（例えば、遠近法）を用いた表示態様において、遊技者が認識する仮想的な方向をいう。
【００２６】
また、メイン表示部８１は、保留表示を表示（出力）することができる。保留表示が表示される領域と、装飾図柄が表示される領域とは、離間してもよいし重複してもよい。
ここで、保留表示とは、後述する作動保留情報のそれぞれに対応する表示であり、その形状や色彩等によって対応する作動保留情報に基づいて実行される図柄変動の有利度を示唆する場合がある。また、以下の説明において、保留表示を変化させる演出について「先読み保留変化演出」又は「保留変化演出」と称する場合がある。
メイン表示部８１は、実行中の図柄変動（いわゆる当該変動）に対応しており、且つ保留表示に摸した表示を行うことができる。その表示を保留表示と区別して扱う場合には「当該保留表示」と表記し、当該保留表示と保留表示とを区別なく扱う場合には単に「保留表示」と表記される。
【００２７】
上記のように、スピーカ３３は音声出力手段である。また、スピーカ３３は、メイン表示部８１において停止している装飾図柄が変動を開始してから停止若しくは仮停止するまでの期間、又は演出表示手段において仮停止している装飾図柄が再変動してから停止若しくは仮停止するまでの期間のいずれかである変動期間において、複数とおりの音声を出力しうるように構成されている。
従って、スピーカ３３は、本発明に係る音声出力手段であると換言できる。
【００２８】
サブ表示部８２のそれぞれは、主として演出に関連する演出画像を表示するだけでなく、移動可能に構成されている。
なお、それぞれの初期位置は、上サブ表示部８２ａはメイン表示部８１を基準として上側であり、左サブ表示部８２ｂはメイン表示部８１を基準として左側であり、右サブ表示部８２ｃはメイン表示部８１を基準として右側であり、サブ表示部８２のそれぞれは、これらの初期位置からメイン表示部８１における装飾図柄の表示領域に重なる位置まで移動可能に構成されている。
【００２９】
なお、本実施形態における演出表示装置８０（メイン表示部８１、上サブ表示部８２ａ、左サブ表示部８２ｂ、右サブ表示部８２ｃ）には、いずれも液晶表示装置が採用されているが、本発明の実施はこれに限るものではない。例えば、ドラム式やドットマトリックス式等、多様な方式の表示装置を演出表示装置８０として採用することができる。
【００３０】
メイン表示部８１の右下側には、複数の発光ダイオード（light emitting diode、以下ＬＥＤと称す）が配設されており、これらのＬＥＤによって図柄表示装置９０の表示領域が構成されており、図柄表示装置９０には、特別図柄及び普通図柄が表示される。
図柄表示装置９０はメイン表示部８１よりも遊技者が視認しにくい位置に配設され、図柄表示装置９０の表示領域はメイン表示部８１の表示領域よりも小さい面積になっている。
なお、本実施形態における図柄表示装置９０に係るＬＥＤの配置や数は図２に示すとおりであるが、これは一例であって、図柄表示装置９０に係るＬＥＤの配置や数はこの例に制限されるものではない。
【００３１】
特別図柄とは、特別電動役物（例えば、特別電動役物６５）を作動させるか否かを決定する図柄変動の結果として停止表示される図柄である。本実施形態における特別図柄には、第１特別図柄表示装置９１に表示される第１特別図柄と第２特別図柄表示装置９２に表示される第２特別図柄とが含まれる。
特別図柄は「特図」、第１特別図柄は「特図１」、第２特別図柄は「特図２」と略称される場合がある。
【００３２】
普通図柄とは、普通電動役物（例えば、普通電動役物６１）を作動させるか否かを決定する図柄変動の結果として停止表示される図柄である。本実施形態における普通図柄は、普通図柄表示装置９３に表示される。
普通図柄は、「普図」と略称される場合があり、普通電動役物は「電チュー」と称される場合がある。
【００３３】
図柄表示装置９０には、更に、第１特別図柄保留ランプ９４、第２特別図柄保留ランプ９５、普通図柄保留ランプ９６が設けられている。
第１特別図柄保留ランプ９４は、保留されている特図１の図柄変動の数を特定可能とし、第２特別図柄保留ランプ９５は、保留されている特図２の図柄変動の数を特定可能とし、普通図柄保留ランプ９６は、保留されている普図の図柄変動の数を特定可能とし、いずれも、２つのＬＥＤの点灯態様（本実施形態では、右常時点灯のみ＝１、左右常時点灯＝２、右側点滅＋左側常時点灯＝３、左右点滅＝４）によって対応する図柄変動の数を特定可能とするものである。
【００３４】
以下の説明では、第１特別図柄表示装置９１又は第２特別図柄表示装置９２で特図を変動表示させた後に特図を停止表示させる図柄変動を「特図の図柄変動」と称し、普通図柄表示装置９３を変動表示させた後に普図を停止表示させる図柄変動を「普図の図柄変動」と称する場合がある。
また、以下の説明では、上述のメイン表示部８１に表示される装飾図柄の変動表示は、「特図の図柄変動」や「普図の図柄変動」と区別して「装飾図柄の図柄変動」と称する場合がある。
なお、以下の説明では、単に「図柄変動」と称した場合には、特に断りがない限り特図の図柄変動を意味するものとする。
【００３５】
遊技盤５０の前面には、多数の遊技釘（図示省略）や風車５２、装飾部材といった障害物が配置されていることにより、打ち出された遊技球が転動するように遊技領域５０ａが画成されている。
また、遊技領域５０ａの左側及び上側には、操作ハンドル３１の回転操作により発射された遊技球を遊技領域５０ａの上部に案内するために設けられた湾曲形状の外レール５１及び内レール５３が配置されている。なお、外レール５１は、遊技領域５０ａ中央を基準として内レール５３より外側に位置している。ここで、風車５２とは、遊技球の落下の方向に変化を与えるための機構であって、くぎ状のものをいう。
【００３６】
遊技機１０は操作ハンドル３１の回転操作量（例えば回転角度）の大小によって遊技球の打ち出しの強弱をつけることが可能になっており、より弱く打ち出された遊技球が転動する第１流路Ｘ（いわゆる左打ち）、より強く打ち出された遊技球が転動する第２流路Ｙ（いわゆる右打ち）、のいずれか一方を遊技球が転動するように各種障害物が遊技領域５０ａに配置されている。
【００３７】
図４には、主要な入賞口として、大入賞口５５、第１始動口５７、第２始動口５９、ゲート６３、一般入賞口６７を図示する。ここで、図示する入賞口は一例であり、その数や配置は適宜変更しても構わない。
【００３８】
大入賞口５５は遊技領域５０ａの右下部に配置されている。大入賞口５５には大入賞口センサ７２が付設されており、大入賞口センサ７２の検知結果によって大入賞口５５への入賞が判定されて、大入賞口５５への入賞に対して決められた数（本実施形態では、１５）の賞球が付与される。
なお、本実施形態において、第１流路Ｘから転動する場合と比較して、第２流路Ｙから転動する場合に多くの遊技球が大入賞口５５に向けて転動するように各障害物が配置されている。
【００３９】
大入賞口５５には特別電動役物６５が付設されている。特別電動役物６５は、大入賞口５５への入賞が容易である開放状態又は入球が困難である閉鎖状態に可換に遷移する部材であり、特別電動役物ソレノイド４１により開放状態又は閉鎖状態のいずれかに遷移する。
より具体的には、特別電動役物６５は、後述する特図当否判定によって大当りが導出されたことに起因して設定される大当り遊技の少なくとも一部において開放状態になり、これに伴って大入賞口５５への入賞が許容される。このように、特別電動役物６５が開放状態である場合には大入賞口５５への入賞が容易となるため、賞球を獲得できる機会が大幅に増大する大当り遊技は有利な遊技状態であると言える。
なお、特別電動役物６５は、「アタッカー」と称され、特別電動役物ソレノイド４１によって特別電動役物６５が開放状態となることを、「アタッカー開放」と称する場合がある。
また、特図当否判定によって小当りが導出されたことに起因する小当り遊技の少なくとも一部においても特別電動役物６５が開放状態となるが、上記の大当り遊技と比較して当該開放状態となる時間が短い。そのため、小当り遊技は、大当り遊技よりも有利度の低い遊技状態と言える。
【００４０】
第１始動口５７は、遊技領域５０ａの中央下部に配置されている。第１始動口５７には第１始動口センサ７０が付設されており、第１始動口センサ７０の検知結果によって第１始動口５７への入賞が判定されて、第１始動口５７への入賞に対して決められた数（本実施形態では、４）の賞球が付与される。第１始動口５７に係る入賞が判定された場合の少なくとも一部において、特図１の図柄変動が行われることとなる。
なお、本実施形態に係る遊技領域５０ａは、第２流路Ｙから転動した場合に比べて、第１流路Ｘから転動した場合に多くの遊技球が第１始動口５７に向けて転動するように、遊技釘等の障害物が配置されているものとする。
【００４１】
第２始動口５９は、遊技領域５０ａの右下部に配置されている。第２始動口５９には第２始動口センサ７１が付設されており、第２始動口センサ７１の検知結果によって第２始動口５９への入賞が判定されて、第２始動口５９への入賞に対して決められた数（本実施形態では、１）の賞球が付与される。
第２始動口５９への入賞が判定された場合の少なくとも一部において、特図２の図柄変動が行われることとなる。
なお、本実施形態に係る遊技領域５０ａは、第１流路Ｘから転動した場合に比べて、第２流路Ｙから転動した場合に多くの遊技球が第２始動口５９に向けて転動するように、遊技釘等の障害物が配置されているものとする。
【００４２】
第２始動口５９に繋がる流路には普通電動役物６１が配設されている。普通電動役物６１は、第２始動口５９に遊技球への入球が容易である開放状態又は入球が困難である閉鎖状態に可換に遷移する部材であり、普通電動役物ソレノイド４０により開放状態又は閉鎖状態のいずれかに遷移する。
より具体的には、普通電動役物６１は、普図の図柄変動で当選して行われる普図当り遊技の少なくとも一部において開放状態になり、これに伴って第２始動口５９への入賞が許容される。このように、普通電動役物６１が開放状態である場合には、第２始動口５９への入賞が容易となるため、賞球により遊技球の減少を抑えつつ、特図２の図柄変動が実行される機会を大幅に増大し得る。
【００４３】
ゲート６３は、遊技領域５０ａの右中央部に配置されている。ゲート６３には、ゲートセンサ７４が付設されており、ゲートセンサ７４の検知結果によってゲート６３への入賞が判定される。ゲート６３に係る入賞が判定された場合の少なくとも一部において、普図の図柄変動が行われることとなる。
なお、本実施形態において、第１流路Ｘから転動する場合と比較して、第２流路Ｙから転動する場合に多くの遊技球がゲート６３に向けて転動するように各障害物が配置されている。
【００４４】
一般入賞口６７は、遊技領域５０ａの左下部に配置されている。一般入賞口６７には、一般入賞口センサ７３が付設されており、一般入賞口センサ７３の検知結果によって一般入賞口６７への入賞が判定されて、一般入賞口６７への入賞に対して決められた数（本実施形態では、４）の賞球が付与される。
なお、本実施形態において、第２流路Ｙから転動する場合と比較して、第１流路Ｘから転動する場合に多くの遊技球が一般入賞口６７に向けて転動するように各障害物が配置されているが、第２流路Ｙから転動する場合に多くの遊技球が一般入賞口６７に向けて転動するように各障害物が配置されるようにしてもよい。また、一般入賞口６７が複数個設けられていてもよい。
【００４５】
アウト口６９は、遊技領域５０ａの最下部に配置されている。遊技領域５０ａに打ち込まれ、上述した各入賞口に入球しなかった遊技球はアウト口６９に落入し、アウト球として処理される。
【００４６】
ここまで、本実施形態における遊技機１０の構造について説明してきたが、これらは一具体例であって、別の構成によって本発明を実施することもできる。
【００４７】
＜遊技機１０の制御構成について＞
次に、図５を用いて、本実施形態に係る遊技機１０が備える制御構成を説明する。図５は、遊技機１０が備える制御構成を示すブロック図である。なお、図５に示す制御構成は、本実施形態の遊技機１０を説明する上で必要となるものであり、遊技機１０は、図５で図示しない制御構成を備えていてもよい。
【００４８】
主制御基板１００は、遊技に関する各種の演算処理を行うＣＰＵ１０１と、制御プログラムや各種データ等を記憶したＲＯＭ１０２と、一時記憶領域となるワークエリアやバッファメモリとして機能するＲＡＭ１０３と、周辺基板や各デバイスとの間の信号を入出力するＩ／Ｏポート１０４と、乱数（ハード乱数）を生成する乱数回路１０５と、を備えており、これらが内部バスを介して相互に接続されている。
【００４９】
ＣＰＵ１０１は、ＲＯＭ１０２に格納された各種の制御プログラムを読み出して演算処理を行うことで、遊技の主制御に係る各種処理を実行する。ＲＡＭ１０３は、電源基板（図示省略）のバックアップ電源によってバックアップされている。なお、ＲＡＭ１０３のバックアップされる領域は、電源断が生じた場合、電源断時に保持していたスタックポインタや各レジスタ等のデータを記憶しておくための領域となっており、電源断復帰時には当該領域でバックアップされている情報に基づいて遊技機の状態が電源断の生じる前の状態に復帰可能である。
【００５０】
主制御基板１００は、第１始動口センサ７０、第２始動口センサ７１、大入賞口センサ７２、一般入賞口センサ７３、ゲートセンサ７４などと電気的に接続されており、Ｉ／Ｏポート１０４を介して、これらのセンサからの検出信号をＣＰＵ１０１に入力可能に構成されている。
【００５１】
主制御基板１００は、第１特別図柄表示装置９１、第２特別図柄表示装置９２、普通図柄表示装置９３、第１特別図柄保留ランプ９４、第２特別図柄保留ランプ９５、及び普通図柄保留ランプ９６にも電気的に接続されており、Ｉ／Ｏポート１０４を介してこれらの表示装置及びこれらの保留ランプを制御可能に構成されている。
主制御基板１００は、普通電動役物ソレノイド４０及び特別電動役物ソレノイド４１にも電気的に接続されており、Ｉ／Ｏポート１０４を介してこれらのソレノイドを制御可能に構成されている。
更に、主制御基板１００は、上述の玉貸ボタン３９ａや返却ボタン３９ｂなどを含むメイン操作部３９に電気的に接続されており、メイン操作部３９に設けられたセンサによる操作検知状態の変化によってメイン操作部３９の各種操作を検知可能に構成されている。
【００５２】
主制御基板１００と第１副制御基板２００との間は、少なくとも、主制御基板１００から第１副制御基板２００へのデータ送信が可能となるように接続されている。例えば、主制御基板１００と第１副制御基板２００との間は、８本のパラレル信号線および１本のストローブ線で接続されており、主制御基板１００から第１副制御基板２００へと向かう単一方向のみで通信可能に接続され、主制御基板１００から第１副制御基板２００へ各種の演出制御コマンドが送信される。
なお、第１副制御基板２００から主制御基板１００へデータを送信することはできず、また、第１副制御基板２００は、主制御基板１００に対してデータの送信を要求できないように構成されている。
【００５３】
第１副制御基板２００は、主制御基板１００からの演出制御コマンドに基づき遊技演出に関する各種の演算処理を行うＣＰＵ２０１、演出制御プログラムや各種データ等を記憶したＲＯＭ２０２、一時記憶領域となるワークエリアやバッファメモリとして機能するＲＡＭ２０３と、周辺基板や各デバイスとの間の信号を入出力するＩ／Ｏポート２０４と、を備えており、これらが内部バスを介して相互に接続されている。第１副制御基板２００は、ＣＰＵ２０１がＲＯＭ２０２に記憶された制御プログラムに従って遊技演出に係る主要な制御を実行可能となるように、構成されている。
第１副制御基板２００は、上述の演出ボタン３７やカーソルボタン３８などに電気的に接続されており、センサによる操作検知状態の変化によってそれら各操作部の各種操作を検知可能に構成されている。
【００５４】
また、第１副制御基板２００は、主制御基板１００からの演出制御コマンドに基づく演出制御処理にて、第２副制御基板３００へ画像演出および音響演出を指示する画像制御コマンド、演出ランプ３５の点灯を制御するためのランプ制御データ、可動装飾体２２及びサブ表示部８２の可動を制御するための可動制御データなどを生成する。
第１副制御基板２００は、第２副制御基板３００と双方向通信が可能に接続されており、画像および音響に関する画像制御コマンドが第１副制御基板２００から第２副制御基板３００へ送信される一方、その応答として、当該制御コマンドを正常に受信できた旨を示す応答コマンド（ＡＣＫコマンド）が第２副制御基板３００から第１副制御基板２００へ送信される。
【００５５】
また、第１副制御基板２００は、演出ランプ３５と電気接続されており、Ｉ／Ｏポート２０４を介して、ランプ制御データを送信する。そして、演出ランプ３５は、第１副制御基板２００から送信されるランプ制御データによって点灯が制御されるように構成されている。
【００５６】
第１副制御基板２００は、可動装飾体２２及びサブ表示部８２とも電気接続されており、Ｉ／Ｏポート２０４を介して、可動制御データを送信する。
そして、可動装飾体２２及びサブ表示部８２は、第１副制御基板２００から送信される可動制御データによって可動が制御されるように構成されている。
【００５７】
第２副制御基板３００は、第１副制御基板２００からの画像制御コマンドに基づき画像や音響などの演出に関する各種の演算処理を行うＣＰＵ３０１と、画像制御プログラムや各種データ等を記憶したＲＯＭ３０２と、一時記憶領域となるワークエリアやバッファメモリとして機能するＲＡＭ３０３と、周辺基板や各デバイスとの間の信号を入出力するＩ／Ｏポート３０４とを備えており、ＣＰＵ３０１がＲＯＭ３０２に記憶された制御プログラムに従って画像演出に係る主要な制御を実行するように構成されている。
その他、第２副制御基板３００には、図示を省略するが、ＣＰＵ３０１から受信した制御信号に基づき演出内容に沿った画像データを生成するＶＤＰと、ＣＰＵ３０１から受信した制御信号に基づき演出内容に沿った音声データを生成する音源ＩＣとを搭載している。ＶＤＰは、いわゆる画像プロセッサであり、ＣＰＵ３０１からの指示に応じて画像ＲＯＭに記憶された画像データを読み込み、これを画像処理して生成した画像データを演出表示装置８０へ送信する。このＶＤＰには、画像ＲＯＭから読み出された画像データの展開・加工に使用される高速のＶＲＡＭが接続されている。音源ＩＣは、ＣＰＵ３０１からの指示に応じて音声ＲＯＭに記憶された音声データを読み込み、読み込んだ音声データを合成処理して生成した最終的な音声データを増幅器を介してスピーカ３３に出力する。
【００５８】
以上説明したように、第１副制御基板２００からの画像制御コマンドに基づいて第２副制御基板３００が演出表示装置８０における画像表示及びスピーカ３３における音声出力を制御している。
従って、第１副制御基板２００又は第１副制御基板２００及び第２副制御基板３００の協働によって、演出表示手段及び音声出力手段を制御する演出制御手段を実現しているものと言える。
【００５９】
払出制御基板４００は、主な構成として、ＣＰＵ４０１、ＲＯＭ４０２およびＲＡＭ４０３を備えている。
払出制御基板４００は、主制御基板１００と双方向通信可能に接続されており、主制御基板１００からの払出制御コマンドに基づいて賞球払出ユニットを駆動させて賞球を払い出すための制御を実行するとともに、発射ハンドルの操作量に基づき球送り機構と発射機構とを同期的に駆動させて遊技球の発射を制御する。
【００６０】
＜遊技機１０の機能構成について＞
次に、図６を用いて、本実施形態に係る遊技機１０が備える機能構成を説明する。図６は、遊技機１０が備える機能構成を示すブロック図である。なお、図６に示す機能構成は、本実施形態の遊技機１０を説明する上で必要となるものであり、遊技機１０は、図６で図示しない機能構成を備えていてもよい。
【００６１】
主制御基板１００は、図６に示すように、入球判定手段１１０、メイン乱数発生手段１１５、メイン保留制御手段１２０、事前判定手段１３０、特図抽選手段１４０、普図抽選手段１５０、大当り遊技制御手段１６０、図柄表示制御手段１６５、電動役物制御手段１７０、遊技状態制御手段１７５、メイン情報記憶手段１８０、メインエラー制御手段１８５、及びメインコマンド管理手段１９０を備えており、これらの手段は、図５を用いて説明した主制御基板１００上の各制御構成によって実現されるものを機能的に表したものである。
【００６２】
なお、メイン情報記憶手段１８０は、主制御基板１００が備える手段によって読み出されたデータや、当該手段における演算によって導出されたデータ等を各々に対応する格納領域に一時的に記憶する手段である。特に、メイン情報記憶手段１８０の送信コマンド格納領域に記憶されたデータ（演出制御コマンド）は、記憶された後にコマンド送信手段によって後述する第１副制御基板２００のサブコマンド管理手段２７０に向けて送信される。
【００６３】
入球判定手段１１０は、各入賞口に設けられたセンサの検知結果に基づいて各入賞口への入賞を判定する。
【００６４】
メイン乱数発生手段１１５は、乱数回路１０５によって更新範囲が異なる複数種類の乱数を生成可能であり、入賞口への入賞が判定されたタイミングで乱数回路１０５から当該入賞口に対応する一又は複数の乱数を取得（ラッチ）する。
より具体的には、メイン乱数発生手段１１５は、第１始動口５７又は第２始動口５９への入賞が判定された場合には、後述する特図当否判定用の乱数、特図停止図柄抽選用の乱数、及び特図変動パターン抽選用の乱数を取得する。ゲート６３への入賞が判定された場合には、後述する普図当否判定用の乱数、普図図柄抽選用の乱数、及び普図変動パターン抽選用の乱数をメイン情報記憶手段１８０の対応する格納領域に格納する。
【００６５】
メイン保留制御手段１２０は、特図の図柄変動の保留、及び普図の図柄変動の保留に関する制御を行う。特図１に関しては、第１始動口５７への入賞を契機として取得された、特図当否判定用の乱数、特図停止図柄抽選用の乱数、及び特図変動パターン抽選用の乱数を、特図１の作動保留情報として保留する（記憶させる）。
より具体的には、メイン保留制御手段１２０は、特図１の作動保留情報が保留されるごとに１加算され、特図１の作動保留情報が使用される（特図抽選手段１４０の抽選で用いられる）ごとに１減算される保留カウンタ（以下、「特図１保留カウンタ」と称する）を備え、特図１保留カウンタの値が上限値（本実施形態では、４）となるまで、当該作動保留情報をメイン情報記憶手段１８０の現在の特図１保留カウンタに対応する格納領域に記憶させ、作動保留情報が使用されるごとに、使用された作動保留情報をクリアし、残りの作動保留情報を、特図１保留カウンタの小さいものから順に、現在の格納領域から現在の特図１保留カウンタよりも１少ない特図１保留カウンタに対応する格納領域に移動（シフト）させる制御を行う。
メイン保留制御手段１２０は、特図２及び普図に関してもそれぞれ、特図１に関する上述の制御と同様の制御を行う。特図２の保留カウンタは特図２保留カウンタと称する。
また、以降の説明では、「作動保留情報の保留」を「図柄変動の保留」と表現する場合がある。
また、メイン保留制御手段１２０は、特図１又は特図２の作動保留情報（保留カウンタ）を更新（加算又は減算）した際に、特図１保留カウンタ及び特図２保留カウンタの値を含む演出制御コマンド（保留コマンド）を生成し、当該コマンドをメイン情報記憶手段１８０の送信コマンド格納領域に記憶させる。
なお、本実施形態では、特図１に対応する作動保留情報及び特図２に対応する作動保留情報の双方が保留されている場合には、特図２に対応する作動保留情報が優先的に使用される。
【００６６】
従って、メイン保留制御手段１２０は、図柄変動の実行を保留するものと言える。
【００６７】
事前判定手段１３０は、所定の事前判定のタイミングにおいて特図の作動保留情報が保留された場合に、当該作動保留情報を対象とした先読み演出のための事前判定を実行する。
より具体的には、事前判定手段１３０は、今回保留した作動保留情報の各乱数を読み出し、特図当否判定の事前判定、特図停止図柄抽選の事前判定、特図変動パターン抽選の事前判定を実行する。各事前判定では、各事前判定に対応する抽選に用いられる抽選テーブル（詳細は、後述）と同等の抽選テーブル（図示省略）を用いられる。そのため、これらの事前判定は、後に実行される抽選の結果と同一の結果が導出される。
また、事前判定手段１３０は、導出された事前判定の結果を含む演出制御コマンド（事前判定コマンド）を生成し、当該コマンドをメイン情報記憶手段１８０の送信コマンド格納領域に記憶させる。
なお、上述の通り、事前判定コマンドは、所定の事前判定のタイミングにおいて特図の作動保留情報が保留された場合に送信される（生成され、メイン情報記憶手段１８０の送信コマンド格納領域に記憶される）ものであるため、上述の保留コマンドに続いて送信されることとなる。
【００６８】
特図抽選手段１４０は、特図当否判定手段１４１、特図停止図柄抽選手段１４２、特図変動パターン導出手段１４３を備え、特図当否判定手段１４１、特図停止図柄抽選手段１４２、特図変動パターン導出手段１４３の順に各手段による処理を実行する。特図抽選手段１４０は、特図の変動開始条件が充足された際に、メイン情報記憶手段１８０に保留されている作動保留情報のうちの最先の作動保留情報を読み出す。
「特図の変動開始条件が充足される」とは、その一例として、大当り中ではないこと、特図１及び特図２のいずれも図柄変動中でないこと、特図１及び特図２のうちの少なくともいずれか一方に作動保留情報が存在することの全ての条件が充足されたことである。
【００６９】
図７は、主制御基板１００における抽選で用いられる抽選テーブルを模式的に示す図である。
図７で示す抽選テーブルを含む以下の抽選テーブルを用いた抽選では、読み出した乱数に対して抽選テーブルに記憶された抽選値があらかじめ定められた順序に従って順次加算され、キャリー（桁あふれ）が発生した抽選値に対応する結果が当該抽選の結果として導出される。
以降の説明では、説明の便宜上、抽選テーブルに名前を付しているが、名前に対応する抽選テーブルに含まれる抽選値等のデータが各ＲＯＭに識別可能に記憶されていればよく、これらの名前は、当該データが記憶される領域を特定するものではない。また、以降で図示される抽選テーブルには、説明の便宜上記載された項目や、抽選値として「−」又は「０」が記載されているが、これらは各ＲＯＭに記憶されたデータを示すものではない。また、抽選に使用される乱数範囲の最大値と同一の抽選値が抽選テーブルに記載されている場合には、当該結果が１００％導出されるため、必ずしも抽選を行う必要はない。
【００７０】
特図当否判定手段１４１は、図柄変動の開始時に、特図当否判定用の乱数を読み出し、読み出した乱数と特図当否判定用の抽選テーブルを用いて大当り、小当たり、はずれのいずれに該当するかを抽選によって決定する。
図７（ａ）は、特図１当否判定用の抽選テーブルを示したものであり、当該抽選で用いられる乱数の範囲は、０〜６５５３５である。そのため、特図１において特図抽選状態が低確率の場合（以下、「特図低確」と略称する場合がある）には、２００／６５５３６の確率で大当り、３００／６５５３６の確率で小当り、残りの６５０３６／６５５３６の確率ではずれとなり、特図１において特図抽選状態が高確率の場合（以下、「特図高確」と略称する場合がある）には、５００／６５５３６の確率で大当り、３００／６５５３６の確率で小当り、残りの６４７３６／６５５３６の確率ではずれとなる。
【００７１】
図７（ｂ）は、特図２当否判定用の抽選テーブルを示したものであり、当該抽選で用いられる乱数の範囲は、特図１当否判定の場合と同様に、０〜６５５３５である。そのため、特図２の特図低確では、２００／６５５３６の確率で大当り、残りの６５３３６／６５５３６の確率ではずれとなり、特図２の特図高確では、５００／６５５３６の確率で大当り、残りの６５０３６／６５５３６の確率ではずれとなる。
【００７２】
このように、特図高確は、特図低確よりも大当りが導出される確率が高く、特図低確よりも有利度が高い状態であると言える。また、本実施形態における特図２当否判定では、小当りが導出されないようになっている。
【００７３】
以上説明したように、本実施形態における遊技機１０は、図柄変動ごとに特典（例えば、大当り）に係る当否抽選を行うものと言える。
【００７４】
特図停止図柄抽選手段１４２は、特図当否判定手段１４１によって大当りが導出された場合に、特図停止図柄抽選用の乱数を読み出し、読み出した乱数と特図停止図柄抽選用の抽選テーブルを用いて特図の停止図柄を抽選によって決定する。
図７（ｃ）は、特図１停止図柄抽選用の抽選テーブルを示したものであり、当該抽選で用いられる乱数の範囲は、０〜９９である。そのため、特図１では、大当りが導出された際に、１０／１００の確率で図柄Ａ、５０／１００の確率で図柄Ｂ、４０／１００の確率で図柄Ｃが停止図柄として決定される。
ここで、図柄Ａ及び図柄Ｂは、ラウンド数（Ｒ数）が１０であり、且つ大当り遊技終了後に特図高確且つ普図高確となる図柄（以下、「確変図柄」と称する場合があり、当該図柄に係る大当りを「確変大当り」と称する場合がある）である。一方、図柄Ｃは、大当り遊技中に特別電動役物６５が十分な時間（概ね９球入賞する程度）に亘って解放される回数（ラウンド数（Ｒ数））が１０であり、且つ大当り遊技終了後に特図低確且つ普図高確（詳細は後述）となる図柄（以下、「通常図柄」と称する場合があり、当該図柄に係る大当りを「通常大当り」と称する場合がある）である。よって、図柄Ａ及び図柄Ｂは、ラウンド数及びその後の特図抽選状態の双方において、図柄Ｃよりも有利な図柄である。
【００７５】
図７（ｄ）は、特図２停止図柄抽選用の抽選テーブルを示したものであり、当該抽選で用いられる乱数の範囲は、特図１停止図柄抽選と同様に、０〜９９である。そのため、特図２では、大当りが導出された際に、５０／１００の確率で図柄ａ、３０／１００の確率で図柄ｂ、２０／１００の確率で図柄ｃとなる。
ここで、図柄ａ及び図柄ｂは、ラウンド数が１０であり、かつ大当り遊技終了後に特図高確且つ普図高確となる確変図柄である。一方、図柄ｃは、ラウンド数が１０であり、大当り遊技終了後に特図低確且つ普図高確となる通常図柄である。よって、図柄ａ及び図柄ｂは、ラウンド数及びその後の特図抽選状態の双方において、図柄ｃよりも有利な図柄である。
【００７６】
上述の通り、本実施形態は、特図１による大当り遊技終了後の特図高確となる割合（６０／１００）と、特図２による大当り遊技終了後の特図高確となる割合（８０／１００）とが異なっている。この違いは、例えば、大当り遊技中に遊技球が大入賞口５５内に設けられた特定領域を通過した場合に大当り遊技終了後に特図高確とする機能を備え、特定領域の通過が容易となるラウンド（本実施形態では、１０ラウンド目）を設けるか否かを特図の停止図柄によって変えることで実現可能である。
ただし、特図１による大当り遊技終了後の特図高確となる割合と、特図２による大当り遊技終了後の特図高確となる割合は、同一の割合としてもよく、これらの大当りのラウンド数についても有利不利がないようにしてもよい。
【００７７】
また、特図停止図柄抽選手段１４２は、特図当否判定手段１４１によって大当りが導出されなかった場合には、特図１の小当り時は図柄Ｄ、特図１のはずれ時は図柄Ｅ、特図２のはずれ時は図柄ｄを停止図柄として一律に決定する。
【００７８】
特図変動パターン導出手段１４３は、特図変動パターン（変動時間）を導出する。具体的には、特図変動パターン導出手段１４３は、現在の特図変動パターン導出状態（詳細は、後述）と今回の特図当否判定手段１４１の抽選結果とに基づいて、複数種類の特図変動パターン抽選テーブル（図示省略）の中から今回の特図変動パターンを導出するための一つの特図変動パターン抽選テーブルを選択し、選択した特図変動パターン抽選テーブルと特図変動パターン抽選用の乱数とを用いて一つの特図変動パターンを導出する。
特図変動パターン導出手段１４３は、導出された特図変動パターンを指定する演出制御コマンド（変動開始コマンド）を生成し、当該コマンドをメイン情報記憶手段１８０の送信コマンド格納領域に記憶させる。なお、変動開始コマンドには、特図変動パターン導出状態Ｃが開始されてからの図柄変動の回数の情報が少なくとも含まれている。
【００７９】
普図抽選手段１５０は、普図の図柄変動中でない場合に、メイン情報記憶手段１８０に保留されている作動保留情報のうちの最先の作動保留情報を読み出し、読み出した乱数を用いて、普図の当否を判定する普図当否判定を実行する。この普図当否判定によって普通電動役物６１が開放状態に制御されることとなる普図当りに当選した場合に、普図抽選手段１５０は、普図の停止図柄を抽選により決定する普図停止図柄抽選、及び普図の変動パターン（変動時間）を抽選により決定する普図変動パターン抽選を実行する。
普図当否判定では、普図抽選状態が高確率の状態（「普図高確」と略称する場合がある）と、普図抽選状態が低確率の状態（「普図低確」と略称する場合がある）とがある。本実施形態では、普図高確では、６５５３５／６５５３６の確率で普図当りとなり、残りの１／６５５３６の確率ではずれとなる一方、普図低確では、１／６５５３６の確率で普図当りとなり、残りの６５５３５／６５５３６の確率ではずれとなる。なお、普図低確では、普図当りとならない（６５５３６／６５５３６ではずれとなる）ようにしてもよい。
【００８０】
普図停止図柄抽選では、普通電動役物６１の開放状態となるパターンが異なる複数種類の停止図柄から、普図停止図柄抽選用の抽選テーブル（図示省略）を用いた抽選によって一つの停止図柄が決定される。なお、普図当否判定ではずれとなった場合には、特図１、２と同様に、停止図柄が一律に決定される。
【００８１】
また、普図変動パターン抽選では、特図変動パターン抽選と同様に、複数種類の普図変動パターンから、普図変動パターン抽選用の抽選テーブル（図示省略）を用いた抽選によって一つの普図変動パターンが決定される。
【００８２】
大当り遊技制御手段１６０は、特図当否抽選の結果が大当りである場合、決定された大当り図柄に応じて、大当り開始演出に係る演出時間、及び大当り終了演出に係る演出時間を決定する。
大当り遊技制御手段１６０は、大当り開始時には、大当り開始演出に係る演出時間を含む演出制御コマンド（大当り開始コマンド）を生成し、メイン情報記憶手段１８０の送信コマンド格納領域に記憶させ、大当り終了時には、大当り終了演出に係る演出時間を含む演出制御コマンド（大当り終了コマンド）を生成し、メイン情報記憶手段１８０の送信コマンド格納領域に記憶させる。
また、大当り遊技制御手段１６０は、特図当否抽選の結果が小当りの場合も同様に、小当り開始演出に係る時間、及び小当り終了演出に係る演出時間を決定し、小当り開始時には、小当り開始演出に係る演出時間を含む演出制御コマンド（小当り開始コマンド）を生成し、メイン情報記憶手段１８０の送信コマンド格納領域に記憶させ、小当り終了時には、小当り終了演出に係る演出時間を含む演出制御コマンド（小当り終了コマンド）を生成し、メイン情報記憶手段１８０の送信コマンド格納領域に記憶させる。
【００８３】
図柄表示制御手段１６５は、特図１の特図変動パターン（変動時間）に従って、特図１を第１特別図柄表示装置９１に変動表示させるとともに、変動時間の経過後に特図停止図柄抽選によって決定された停止図柄で特図１を停止表示させる。同様に、第２特別図柄の特図変動パターン（変動時間）に従って、特図２を第２特別図柄表示装置９２に変動表示させるとともに、変動時間の経過後に特図停止図柄抽選によって決定された停止図柄で特図２を停止表示させる。
図柄表示制御手段１６５は、特図１及び特図２の表示に係る時間（変動時間、停止表示時間）を管理するための特図遊技タイマを有し、特図を停止表示させる際に（特図遊技タイマの値が「０」となるタイミングで）、装飾図柄の確定表示を要求するための演出制御コマンド（変動停止コマンド）を生成し、当該コマンドをメイン情報記憶手段１８０の送信コマンド格納領域に格納する。
【００８４】
図柄表示制御手段１６５は、普図の普図変動パターン（変動時間）に従って、普図を普通図柄表示装置９３に変動表示させるとともに、変動時間の経過後に普図を普図停止図柄抽選によって決定された停止図柄で停止表示させる。
図柄表示制御手段１６５は、普図の表示に係る時間（変動時間、停止表示時間）を管理するための普図遊技タイマを有する。
【００８５】
電動役物制御手段１７０は、特図当否抽選の結果が大当りとなった場合、特図の停止表示後に、特別電動役物ソレノイド４１に制御信号を出力し、特別電動役物６５を特図の停止図柄に対応する解放パターンに従って開放させる。大当り遊技は、特別電動役物６５の１回の開閉動作を１回のラウンド遊技とし、当該ラウンド遊技を規定ラウンド数（本例では、１０Ｒ）だけ連続して実行する遊技状態である。
電動役物制御手段１７０は、特図当否抽選の結果が小当りとなった場合、特図の停止表示後に、特別電動役物ソレノイド４１に制御信号を出力し、特別電動役物６５を短期間（０．０５秒）だけ開放させる。
また、電動役物制御手段１７０は、普図当否抽選に当選した場合、普通電動役物ソレノイド４０に制御信号を出力して、普通電動役物６１を普図の停止図柄に対応する開放パターンに従って開放させる。
【００８６】
遊技状態制御手段１７５は、特図抽選状態を制御する。具体的には、遊技状態制御手段１７５は、上述の通り、通常大当りに係る大当り遊技の開始時に特図低確とし、確変大当りに係る大当り遊技の終了時に特図高確とし、特図高確における転落当否判定に当選した場合には、その時点（特図当否判定の前）で特図低確とする。
加えて、遊技状態制御手段１７５は、普図抽選状態を制御する。具体的には、遊技状態制御手段１７５は、大当り遊技の開始時には、大当りに係る図柄に関わらず、普図低確とし、通常大当りに係る大当り遊技の終了時に１００回の図柄変動が行われるまで普図高確とし（１００回の図柄変動後には普図低確とする）、確変大当りに係る大当り終了時に次回の大当り遊技の開始まで（例えば、大当りが導出されるのに十分な有限の回数（例えば、５０００回）を設定する場合も含む）普図高確とし、普図高確における転落当否判定に当選した場合には、当該図柄変動の終了時に普図低確とする。なお、特図低確且つ普図高確の状態を低確時短と称する場合がある。
【００８７】
また、遊技状態制御手段１７５は、上述の特図変動パターン導出状態を制御する。この特図変動パターン導出状態の遷移については、図８を参照しながら説明する。図８は、特図抽選状態及び普図抽選状態による遊技状態の遷移、及び特図変動パターン導出状態の遷移を示した状態遷移図である。
特図変動パターン導出状態は、特図低確且つ普図低確に対応する特図変動パターン導出状態Ａ、特図高確且つ普図高確に対応する特図変動パターン導出状態Ｂ、及び特図低確且つ普図高確に対応する特図変動パターン導出状態Ｃに大別できる。
各特図変動パターン導出状態間の遷移には、例えば、次のような条件が設けられる。遷移条件（i）は確変大当りに係る大当り遊技の終了であり、遷移条件（ii）は通常大当りに係る大当り遊技の終了であり、遷移条件（iii）は１００回目の図柄変動の終了である。
【００８８】
従って、遊技状態制御手段１７５は、大当り遊技の少なくとも一部が終了すると移行する第一遊技状態（例えば、特図高確且つ普図高確）を含む複数の遊技状態のうち一の遊技状態に制御するものと言える。
なお、以下の説明において「第一遊技状態」とは、特図高確且つ普図高確又はこれに対応する特図変動パターン導出状態Ｂであることを前提として説明するが、本発明の目的に反しない範囲において他の遊技状態（特図低確且つ普図低確、特図高確且つ普図低確、特図低確且つ普図高確）に代える、又は他の遊技状態を追加してもよい。
【００８９】
また、遊技状態制御手段１７５は、特図抽選状態、普図抽選状態、及び特図変動パターン導出状態の更新が発生した場合に、更新後の各状態を含む演出制御コマンド（遊技状態指定コマンド）を生成し、当該コマンドをメイン情報記憶手段１８０の送信コマンド格納領域に記憶させる。
【００９０】
メイン情報記憶手段１８０は、上述の通り、各手段によって読み出されたデータや、各手段による演算等によって導出されたデータ等を一時的に記憶の結果導出されたデータ等を各々に対応する格納領域に一時的に記憶する手段である。
【００９１】
メインエラー制御手段１８５は、Ｉ／Ｏポート１０４の入力情報を監視し、遊技機１０がエラー状態であるか否かを判定する。エラー状態であると判定された場合には、当該エラー情報を含む演出制御コマンド（エラーコマンド）をメイン情報記憶手段１８０の送信コマンド格納領域に格納する。
なお、メインエラー制御手段１８５は、例えば、磁気センサ（図示省略）の検知によるエラー状態等、重要度の高いエラー状態となった場合には、払出制御基板４００に遊技球の発射を規制させる等、エラーコマンドをメイン情報記憶手段１８０の送信コマンド格納領域に格納する以外の処理を実行するようにしてもよい。
【００９２】
メインコマンド管理手段１９０は、メイン情報記憶手段１８０の送信コマンド格納領域に演出制御コマンドが記憶されている場合に、当該演出制御コマンドを第１副制御基板２００に向けて送信する。
なお、各演出制御コマンドは、原則として、メイン情報記憶手段１８０の送信コマンド格納領域に記憶された順番に従って送信される。
【００９３】
第１副制御基板２００は、図６に示すように、サブ乱数発生手段２１０、通常演出制御手段２２０、サブエラー制御手段２３０、ランプ制御手段２４０、可動役物制御手段２５０、サブ情報記憶手段２６０、及びサブコマンド管理手段２７０を備えており、これらの手段は、図５を用いて説明した第１副制御基板２００上の各制御構成によって実現されるものを機能的に表したものである。
なお、サブ情報記憶手段２６０は、第１副制御基板２００が備える手段によって読み出されたデータや、当該手段における演算によって導出されたデータ等を各々に対応する格納領域に一時的に記憶する手段である。また、メインコマンド管理手段１９０から送信された演出制御コマンドは、サブコマンド管理手段２７０によってサブ情報記憶手段２６０の受信コマンド格納領域に記憶される。
【００９４】
サブ乱数発生手段２１０は、ＣＰＵ２０１によってプログラム処理で更新される乱数（ソフトウェア乱数）を生成可能であり、通常演出制御手段２２０による各抽選（詳細は後述）が実行されるタイミングで乱数を取得する。
【００９５】
通常演出制御手段２２０は、演出モード制御手段２２１、演出ルート決定手段２２２、先読み演出制御手段２２３、サブ保留制御手段２２４、演出内容決定手段２２５、装飾図柄制御手段２２６、大当り演出制御手段２２７、楽曲選択手段２２８を備える。
【００９６】
演出モード制御手段２２１は、遊技状態指定コマンドが送信された場合に、主制御基板１００側で管理された特図変動パターン導出状態との整合性をとるかたちで、演出モードの遷移を制御する。
本実施形態における演出モードは、通常モード、低確時短モード、確変モードに大別される。特図変動パターン導出状態Ａには通常モード、特図変動パターン導出状態Ｂには確変モード、特図変動パターン導出状態Ｃには低確時短モードが対応する。
また、演出モード制御手段２２１は、事前判定コマンドが送信された場合に、その事前判定コマンドに含まれる事前判定の結果（例えば、今回保留された図柄変動に対応する特図変動パターン導出状態）に基づいて、遊技状態指定コマンドが送信された場合と同様の手法で、今回保留された図柄変動に対応する演出モードを決定することもできる。
【００９７】
演出ルート決定手段２２２は、事前判定コマンドが送信された場合に、当該コマンドに含まれる事前判定の結果に基づいて、今回保留された図柄変動に対応する演出モードに対応する複数種類の演出ルートから今回保留された図柄変動に対応する一の演出ルートを決定（設定）する。但し、演出ルート決定手段２２２は、変動開始コマンドで指定される特図変動パターン、現在設定されている演出モードなどに基づいて演出ルートを決定することもできる。
演出ルートとは、上述したとおり、図柄変動の開始から終了までの演出であって、当該図柄変動における特図当否判定の結果を報知するための演出の流れを特定可能とするものであり、当該図柄変動で実行される演出の内容は、当該図柄変動に対応する演出ルートに従って決定されることとなる。また、演出モードに対応する演出ルートの組合せは、演出モードごとに異なる。
【００９８】
先読み演出制御手段２２３は、事前判定コマンドが送信された場合に、当該コマンドに含まれる事前判定の結果（事前判定された特図変動パターンを含む）に基づいて先読み演出の内容を決定する。
先読み演出とは、先読み対象の図柄変動（対象変動）が開始される前の一又は複数回の図柄変動に亘って、先読み対象の図柄変動における特図当否判定の結果に対する期待度や、先読み対象の図柄変動において実行される演出の内容を示唆する演出である。
【００９９】
サブ保留制御手段２２４は、保留コマンドの受信があった場合に、当該コマンドに含まれる特図１保留カウンタと特図２保留カウンタの情報に基づいて、メイン表示部８１の保留表示領域（図示省略）に、特図１保留カウンタに対応する数の保留表示と、特図２保留カウンタに対応する数の保留表示とを表示させるための演出データを設定する。
なお、保留表示は、大当り遊技の期待度等の有利度を示唆する種々の態様に変化する先読み保留変化演出の対象となる表示であり、当該先読み保留変化演出は、上述した先読み演出制御手段２２３によって制御される。
【０１００】
演出内容決定手段２２５は、変動開始コマンドが送信された場合に、該コマンドに含まれる種々の情報（上述の特図変動パターンを含む）に基づいて、今回の図柄変動において実行する予告演出の内容を決定する。
より具体的には、演出ルート決定手段２２２は、決定された演出ルートの各段階において、実行する演出の内容（演出パターン）を、当該演出ルートに対応する演出パターン抽選テーブル（不図示）を用いた抽選等によって決定する。このようにすることで、決定された演出ルートに係る（に従って実行される）演出の内容を変えることができるとともに、一つの図柄変動における演出に繋がりを持たせることができる。また、同一の演出ルートが決定された場合であっても、実行される演出を多彩にすることもできる。
また、演出ルートに対して実行する演出の内容が一義的に対応づけられていてもよく、このような場合であっても、演出ルートは、図柄変動の開始から終了までの演出であって、当該図柄変動における特図当否判定の結果を報知する演出の過程を規定するものと言える。
【０１０１】
装飾図柄制御手段２２６は、変動開始コマンドが送信された場合に、演出内容決定手段２２５によって決定された演出内容等に基づいて、装飾図柄の最終的な停止図柄の組み合わせ（左図柄・中図柄・右図柄）を決定する。なお、以下の説明では、特に断りがない限り、装飾図柄の最終的な停止を、単に、装飾図柄の停止と表現する場合がある。
本実施形態における装飾図柄には、数字の「１」を模した「１図柄」、数字の「２」を模した「２図柄」、数字の「３」を模した「３図柄」、数字の「４」を模した「４図柄」、数字の「５」を模した「５図柄」、数字の「６」を模した「６図柄」、及び数字の「７」を模した「７図柄」があり、以降の説明では、「１図柄」、「３図柄」、「５図柄」、「７図柄」を総称して「奇数図柄」と称し、「２図柄」、「４図柄」、「６図柄」を総称して「偶数図柄」と称する場合がある。
【０１０２】
装飾図柄制御手段２２６は、停止させる装飾図柄の組合せを特図の停止図柄に対応させて決定することができる。具体的には、図柄Ａと図柄ｃには偶数図柄揃い（例えば、「２図柄」−「２図柄」−「２図柄」）を対応させ、図柄Ｂと図柄ｂには７図柄揃いを除く奇数図柄揃い（例えば、「１図柄」−「１図柄」−「１図柄」）を対応させ、図柄ａには７図柄揃いを対応させ、図柄Ｃと図柄Ｄと図柄ｄにはバラケ目（いずれの図柄揃いもない図柄の組合せ）を対応させている。
なお、停止させる装飾図柄の組合せを特図の停止図柄に対応させるにあたっては、必ずしも上述の対応関係とする必要はなく、例えば、図柄ｂに偶数図柄揃いを対応させるなど、上述の対応関係に対して停止させる装飾図柄の組合せの期待度が高くならない組合せであれば、一部の場合（上述の対応関係となる割合よりも低い割合）で上述の対応関係とは異なる装飾図柄の組合せを採用してもよく、このような場合であっても、停止させる装飾図柄の組合せが特図の停止図柄と対応していると言える。
【０１０３】
大当り演出制御手段２２７は、大当り開始コマンドが送信された場合に、当該コマンドに含まれる情報等に基づいて、大当り演出の内容を決定する。
大当り演出には、大当り開始演出、大当り終了演出、大当り中演出が存在する。
ここで、大当り開始演出は、大当り遊技の開始を報知する演出であり、実行中の図柄変動（いわゆる当該変動）が大当りであることを確定的に報知したタイミング（例えば、装飾図柄揃いを表示したタイミング）からアタッカーが最初に開放されるまでに開始される演出である。
大当り終了演出は、大当り遊技の終了を報知する演出であり、大当り遊技の最終ラウンドにおいてアタッカーが閉鎖されてから次の図柄変動が開始可能な状態となるまでに開始される演出である。
大当り中演出は、大当り開始演出と大当り終了演出との間に大当り遊技中であることを報知する演出であり、大当り遊技で最初にアタッカーが開放されてから最終ラウンドにおいてアタッカーが閉鎖されるまでの間に少なくとも一部が実行される演出である。大当り中演出には、ラウンドの進行に伴い進行する演出や、ラウンド進行とは無関係に複数ラウンドに亘って流される一連の演出などが含まれる。
【０１０４】
本実施形態では、大当り演出制御手段２２７は、大当り開始コマンドが送信された場合に、そのときの特図停止図柄に従って、大当り開始演出、大当り中演出及び大当り終了演出の各内容を決定する。
具体的には、特図１に係る特図停止図柄である図柄Ａ及び特図２に係る特図停止図柄である図柄ａの停止によって生起する大当り遊技（以下、スーパーボーナスと称する）について大当り開始コマンドが送信された場合には、大当り演出制御手段２２７は、スーパーボーナスに対応する大当り開始演出、大当り中演出及び大当り終了演出の各内容を決定する。
また、特図２に係る特図停止図柄である図柄ｂ及び図柄ｃの停止によって生起する大当り遊技（以下、チャレンジボーナスと称する）について大当り開始コマンドが送信された場合には、大当り演出制御手段２２７は、チャレンジボーナスに対応する大当り開始演出、大当り中演出及び大当り終了演出の各内容を決定する。
また、特図１に係る特図停止図柄である図柄Ｂ及び図柄Ｃの停止によって生起する大当り遊技（以下、対決ボーナスと称する）について大当り開始コマンドが送信された場合には、大当り演出制御手段２２７は、対決ボーナスに対応する大当り開始演出、大当り中演出及び大当り終了演出の各内容を決定する。
なお、ここで挙げた各ボーナスに対応する大当り開始演出、大当り中演出及び大当り終了演出の各内容については、後に詳述する。
【０１０５】
楽曲選択手段２２８は、楽曲選択を有効とする期間（以下、楽曲選択有効期間）において、遊技者による任意の操作に応じて複数の楽曲の中から選択する。
楽曲選択有効期間には、メイン表示部８１の表示領域の一部に、図１１に図示する楽曲選択表示ＧＡが表示される。図１１は、楽曲選択表示の具体的な表示態様を示す図である。
楽曲選択表示ＧＡは、現在再生中の楽曲名又は選択候補となる楽曲名が表示される楽曲名表示ＧＡ２と、楽曲名表示ＧＡ２に表示されている楽曲に対応する楽曲番号を表示する楽曲番号表示ＧＡ１と、楽曲選択に係る操作を遊技者に示唆する操作示唆表示ＧＡ３と、を含む。
楽曲選択表示ＧＡ（特に、操作示唆表示ＧＡ３）が表示されることによって、遊技者は楽曲選択が可能であることを認識することができる為、楽曲選択表示ＧＡは、楽曲選択又は楽曲選択に係る操作を、遊技者に促す表示であると言える。
【０１０６】
楽曲選択手段２２８による楽曲選択は、原則として、特定の大当り遊技（本実施形態では、スーパーボーナス及びチャレンジボーナス）の開始、又は特定の演出モード（本実施形態では、確変モード及びチャレンジボーナス後の低確時短モード）において実行される図柄変動の開始、を契機として有効となる。但し、楽曲選択を有効にすることが適切ではない状況、例えば、専用の楽曲が再生される連続演出（連続する図柄変動に跨がって実行される演出）の実行期間等には、楽曲選択手段２２８による楽曲選択が有効とされなくてもよい。
また、楽曲選択手段２２８による楽曲選択は、原則として、上記の特定の大当り遊技の終了、又は上記の特定の演出モードにおいて実行される図柄変動の終了（図柄停止）を契機として無効となる。但し、楽曲選択を無効にすることが適切ではない状況、例えば、楽曲選択に係る遊技者の操作を受け付けている場合や楽曲選択表示ＧＡを表示する期間が極端に短い場合（短縮変動の開始時に楽曲選択表示ＧＡを表示した場合）等には、楽曲選択手段２２８による楽曲選択が無効とされなくてもよい。
【０１０７】
楽曲選択に係る遊技者の操作とは、具体的には、楽曲選択有効期間（楽曲選択表示ＧＡの表示中）において、左カーソルボタン３８ｃ又は右カーソルボタン３８ｄを押下するごとに楽曲選択表示ＧＡの楽曲名表示ＧＡ２に表示されている楽曲を変更し、現在再生中の楽曲とは異なる楽曲（選択候補の楽曲）が表示されている場合において、演出ボタン３７を押下することである。この操作によって、第１副制御基板２００（楽曲選択手段２２８）は、楽曲名表示ＧＡ２に表示中の楽曲を再生させる旨を確定し、当該楽曲に係る楽曲データを音声ＲＯＭから読み出してスピーカ３３に再生させる為のコマンドを、第２副制御基板３００に送信する。
【０１０８】
上記のように、楽曲選択手段２２８は、大当り遊技中（スーパーボーナス及びチャレンジボーナス）並びに第一遊技状態（確変モードに対応する普図高確且つ特図高確及びチャレンジボーナス後の低確時短モードに対応する普図高確且つ特図低確）における図柄変動中に再生させる楽曲を、遊技者による任意の操作に応じて複数の楽曲の中から選択することができるものと言える。
【０１０９】
通常演出制御手段２２０は、第１副制御基板２００が備える上述の手段によって決定された演出内容に従って、各演出の実行タイミングで当該演出に対応する各デバイスの演出データを読み出す。なお、読み出した演出データに画像及び音響に係る演出データがある場合には、当該演出データに基づいて画像及び音響に関する画像制御コマンドを生成し、当該コマンドをサブ情報記憶手段２６０の送信コマンド格納領域に格納する。
【０１１０】
サブエラー制御手段２３０は、エラーコマンドが送信された場合に、エラー演出パターンを決定し、当該エラー演出パターンに従ってエラー演出を実行するための演出データを読み出す。
なお、サブエラー制御手段２３０は、独自に（メインエラー制御手段１８５と独立して）遊技機１０がエラー状態であるか否かを判定し、エラー状態であると判定した場合にエラー演出を実行する演出データを読み出すようにしてもよく、当該エラー状態としては、例えば、普図低確時におけるゲート６３の入賞回数に基づいて判定される右打ちエラー状態がある。
【０１１１】
ランプ制御手段２４０は、演出ランプ３５の点灯を制御するためのランプ制御データを保持しており、通常演出制御手段２２０によって読み出された演出データに演出ランプ３５に対応する演出データがある場合には、当該演出データに基づいてランプ制御データを読み出し、読み出したランプ制御データを演出ランプ３５へ送信する。
【０１１２】
可動役物制御手段２５０は、可動装飾体２２及びサブ表示部８２の可動を制御するための可動制御データを保持しており、通常演出制御手段２２０によって読み出された演出データに可動役物に対応する演出データがある場合には、当該演出データに基づいて可動制御データを読み出し、読み出した可動制御データを可動装飾体２２及びサブ表示部８２へ送信する。
【０１１３】
サブ情報記憶手段２６０は、上述の通り、第１副制御基板２００が備える手段によって読み出されたデータや、当該手段における演算によって導出されたデータ等を各々に対応する格納領域に一時的に記憶する手段である。
【０１１４】
サブコマンド管理手段２７０は、主制御基板１００から送信された演出制御コマンドを受信し、受信した演出コマンドをサブ情報記憶手段２６０の受信コマンド格納領域に記憶させ、サブ情報記憶手段２６０の送信コマンド格納領域に画像制御コマンドが記憶されている場合には、当該画像制御コマンドを第２副制御基板３００に向けて送信する。なお、各画像制御コマンドは、原則として、サブ情報記憶手段２６０の送信コマンド格納領域に記憶された順番に従って送信される。
【０１１５】
＜始動口入球時の処理について＞
続いて、始動口入球時の処理について、図９を用いて説明する。
【０１１６】
図９は、始動口入球時処理の処理手順を示すフローチャートである。
なお、図９に図示される処理手順は、一例であり、内容的に支障のない範囲でその順序等を変更することができ、実行タイミングの一部又は全部が互いに重複するものを含んでもよい。また、図９に図示される各処理は始動口入球時に主制御基板１００によって実行される主たる処理であり、必ずしも全ての処理を示すものではない。
【０１１７】
まず、始動口入球時処理について図９の記載に沿って説明する。ここで「始動口入球時処理」とは、第１始動口５７又は第２始動口５９に対して遊技球が入球した後に実行される一連の処理である。
第１始動口５７及び第２始動口５９に付設されている第１始動口センサ７０及び第２始動口センサ７１の検知結果に基づいて、入球判定手段１１０が第１始動口５７又は第２始動口５９への入賞を判定する（ステップＳ１０２）。入球判定手段１１０が入賞を判定するまで（ステップＳ１０２のＮＯ）、ステップＳ１０４以降の処理は行われないまま待機となる。
また、第１始動口５７又は第２始動口５９への入賞が判定されたとしても（ステップＳ１０２のＹＥＳ）、メイン保留制御手段１２０により管理される特図１又は特図２保留カウンタが上限値（例えば４）に達していれば（ステップＳ１０４のＹＥＳ）、ステップＳ１０６以降の処理は行われないまま待機となる。
以降、説明の便宜のために、第１始動口５７への入賞が判定された場合に特化して処理手順を説明するものとする。なお、第２始動口５９への入賞が判定された場合も、対象が特図２となることのみ相違し、他の処理内容は同様である。
【０１１８】
第１始動口５７への入賞が判定され（ステップＳ１０２のＹＥＳ）、かつ特図１保留カウンタが上限値に達していないとき（ステップＳ１０４のＮＯ）、メイン乱数発生手段１１５が各種乱数を生成する（ステップＳ１０６）。例えば、特図当否判定用の乱数、特図停止図柄抽選用の乱数、及び特図変動パターン抽選用の乱数が生成される。
メイン保留制御手段１２０は、ステップＳ１０６で生成された各種乱数を取得し、それら乱数を特図１の作動保留情報として保留する（記憶させる）（ステップＳ１０８）。
続いて、メイン保留制御手段１２０は、特図１保留カウンタに１加算し（ステップＳ１１）、加算後の特図１保留カウンタの値を含む保留コマンドを生成し、メイン情報記憶手段１８０の送信コマンド格納領域に記憶させる。これにより、メインコマンド管理手段１９０がその送信コマンド格納領域に記憶されている保留コマンドを第１副制御基板２００に向けて送信する（ステップＳ１１２）。
ここで、ステップＳ１１０及びＳ１１２は、ステップＳ１０６及びＳ１０８と並行に実行されてもよいし、それらよりも先に実行されてもよい。
【０１１９】
事前判定手段１３０は、所定の事前判定タイミングにおいて特図１の作動保留情報が保留（記憶）された場合に（ステップＳ１１４のＹＥＳ）、その作動保留情報を対象とした先読み演出のための事前判定を実行する（ステップＳ１１６）。事前判定では、例えば、対象となる作動保留情報の各種乱数を読み出し、特図当否判定の事前判定、特図停止図柄抽選の事前判定、特図変動パターン抽選の事前判定を実行する。各事前判定では、その作動保留情報に基づいて特図抽選手段１４０により実行される各抽選の結果と同一の結果が導出される。
事前判定手段１３０は、ステップＳ１１６における事前判定の結果を含む事前判定コマンドを生成し、メイン情報記憶手段１８０の送信コマンド格納領域に記憶させる。これにより、メインコマンド管理手段１９０がその送信コマンド格納領域に記憶されている事前判定コマンドを第１副制御基板２００に向けて送信する（ステップＳ１１８）。
【０１２０】
＜図柄変動の変動開始時の処理について＞
続いて、図柄変動の変動開始時の処理について、図１０を用いて説明する。
【０１２１】
図１０は、図柄変動開始処理の処理手順を示すフローチャートである。
なお、図１０に図示される処理手順は、一例であり、内容的に支障のない範囲でその順序等を変更することができ、実行タイミングの一部又は全部が互いに重複するものを含んでもよい。また、図１０に図示される各処理は図柄変動開始時に主制御基板１００によって実行される主たる処理であり、必ずしも全ての処理を示すものではない。
【０１２２】
図柄変動開始処理の処理手順について図１０の記載に沿って説明する。ここで「図柄変動開始処理」とは、第１特別図柄表示装置９１又は第２特別図柄表示装置９２で行われる特図の図柄変動を開始させる際に行われる一連の処理である。
まず、特図抽選手段１４０は、特図の変動開始条件が充足されているか否かを判定する（ステップＳ２０２）。例えば、大当り遊技中ではないこと、特図１及び特図２のいずれも図柄変動中でないこと、特図１及び特図２のうちの少なくともいずれか一方に作動保留情報が存在することの全ての条件が充足されているか否かが判定される。
ステップＳ２０２の判定が否定されるとき（ステップＳ２０２のＮＯ）、ステップＳ２０４以降の処理は実行されずに、その図柄変動開始処理は終了となる。
【０１２３】
ステップＳ２０２の判定が肯定されると（ステップＳ２０２のＹＥＳ）、特図抽選手段１４０は、メイン情報記憶手段１８０に保留されている作動保留情報のうちの最先の作動保留情報を読み出す（ステップＳ２０４）。
最先の作動保留情報が読み出されると、メイン保留制御手段１２０は、その読み出された作動保留情報をクリアし、残りの作動保留情報の格納領域をシフトさせ、読み出された作動保留情報に対応する特図１又は特図２の保留カウンタを１減算する（ステップＳ２０６）。
続いて、特図１又は特図２の保留カウンタが更新されたため、メイン保留制御手段１２０は、減算後の特図１又は特図２の保留カウンタの値を含む保留コマンドを生成し、メイン情報記憶手段１８０の送信コマンド格納領域に記憶させる。これにより、メインコマンド管理手段１９０がその送信コマンド格納領域に記憶されている保留コマンドを第１副制御基板２００に向けて送信する（ステップＳ２０８）。
【０１２４】
続いて、特図当否判定手段１４１が、その作動保留情報の特図当否判定用乱数を取得し、その乱数と特図当否判定用の抽選テーブル（図７（ａ）及び図７（ｂ）参照）を用いて大当り、小当たり、はずれのいずれに該当するかを抽選によって決定する（ステップＳ２１０）。このとき、特図抽選状態が特定され、その特図抽選状態に対応する抽選テーブルが参照される。
更に、特図停止図柄抽選手段１４２が、ステップＳ２１０の特図当否判定の結果に基づいて、特図の停止図柄を決定する（ステップＳ２１２）。具体的には、特図停止図柄抽選手段１４２は、ステップＳ２１２の特図当否判定の結果が大当りを示す場合には、当該作動保留情報の特図停止図柄抽選用乱数を取得し、その乱数と特図停止図柄抽選用の抽選テーブル（図７（ｃ）、及び図７（ｄ）参照）を用いて特図の停止図柄を抽選によって決定する。ステップＳ２１２の特図当否判定の結果が小当り又ははずれを示す場合には、特図停止図柄抽選手段１４２は、固定的に決められている特図の小当り用の停止図柄又は特図のはずれ用の停止図柄を一律に決定する。
加えて、特図変動パターン導出手段１４３が、ステップＳ２１０及びＳ２１２の結果に基づいて、特図変動パターンを導出する（ステップＳ２１４）。例えば、特図変動パターン導出手段１４３は、遊技状態制御手段１７５により制御される現在の特図変動パターン導出状態を特定し、この特図変動パターン導出状態とステップＳ２１０及びＳ２１２の結果に基づいて、複数種類の特図変動パターン抽選テーブルの中から一つの特図変動パターン抽選テーブルを選択し、選択した特図変動パターン抽選テーブルと当該作動保留情報の特図変動パターン抽選用乱数とを用いて一つの特図変動パターンを導出する。
【０１２５】
特図変動パターン導出手段１４３は、ステップＳ２１４で導出された特図変動パターンを指定する変動開始コマンドを生成し、当該コマンドをメイン情報記憶手段１８０の送信コマンド格納領域に記憶させる。このとき、その変動開始コマンドには、低確時短に対応する特図変動パターン導出状態Ｃが開始されてからの図柄変動の回数の情報が少なくとも含まれる。これにより、メインコマンド管理手段１９０がその送信コマンド格納領域に記憶されている変動開始コマンドを第１副制御基板２００に向けて送信する（ステップＳ２１６）。
【０１２６】
＜大当り演出について＞
ここで、大当り演出制御手段２２７により決定される大当り演出の内容について、図１２、図１３及び図１４の具体例を用いて詳細に説明する。
図１２は、対決ボーナスにおいて実行される大当り演出の内容を模式的に示す図であり、図１３は、チャレンジボーナスにおいて実行される大当り演出の内容を模式的に示す図であり、図１４は、スーパーボーナスにおいて実行される大当り演出の内容を模式的に示す図である。
なお、各図に示される演出表示は、メイン表示部８１に表示されるものとする。
【０１２７】
まず、通常モードにおいて特図停止図柄が図柄Ｂである場合について図１２（ａ）を用いて説明する。なお、他の演出モード（確変モードや低確時短モード）において特図停止図柄が図柄Ｂである場合はイレギュラーである為、詳細な説明は割愛する。
この場合、文字表示「対決ＢＯＮＵＳ」を含む演出表示ＧＳ１は、大当りのタイトル表示であり、大当り開始演出として表示される。
【０１２８】
大当り開始演出の終了後、ラウンド遊技中（１ラウンド開始後から１０ラウンド終了までの間）に大当り中演出が実行される。大当り中演出が行われている間は、原則として、楽曲選択有効期間であり、メイン表示部８１の右下隅部に、上述した楽曲選択表示ＧＡが表示される。
【０１２９】
１ラウンド開始後から８ラウンド終了までの期間において演出表示ＧＭ１１が表示される。演出表示ＧＭ１１は、文字表示「対決」を含み、２人のキャラクターが対決している様子が描かれている映像表示である。
その後、９ラウンド目に、対決に勝利した旨を示す文字表示「ＷＩＮ」を含む演出表示ＧＭ１２が表示される。
そして、１０ラウンド目に、文字表示「Ｖを狙え！！」を含む演出表示ＧＭ１３が表示される。このとき、大当り遊技制御手段１６０によって、大入賞口５５内に設けられた特定領域の通過が容易となるように制御される。
【０１３０】
１０ラウンド目が終わり、今回の大当り遊技が終了すると、特定領域の通過が検知されていることを条件に特図高確且つ普図高確とされると共に、演出表示ＧＥ１が表示される。
演出表示ＧＥ１は、文字表示「確変突入」を含み、大当り終了演出として表示される。
【０１３１】
次に、通常モードにおいて特図停止図柄が図柄Ｃである場合について図１２（ｂ）を用いて説明する。図１２（ｂ）は、当該場合に実行される大当り演出の内容を示している。なお、他の演出モード（確変モードや低確時短モード）において特図停止図柄が図柄Ｃである場合はイレギュラーである為、詳細な説明は割愛する。
この場合も、図１２（ａ）に示す場合と同様に、文字表示「対決ＢＯＮＵＳ」を含む演出表示ＧＳ２が大当り開始演出として表示される。
【０１３２】
大当り開始演出の終了後、ラウンド遊技中に大当り中演出が実行され、大当り中演出が行われている間は、原則として、楽曲選択有効期間であって楽曲選択表示ＧＡが表示される点においても、図１２（ａ）に示す場合と同様である。
【０１３３】
１ラウンド開始後から８ラウンド終了までの期間において、図１２（ａ）に示すＧＭ１１と同様に、文字表示「対決」を含み、２人のキャラクターの対決が描かれている演出表示ＧＭ２１が表示される。
その後、９ラウンド目に、対決に敗北した旨を示す文字表示「ＬＯＳＥ」を含む演出表示ＧＭ２２が表示され、９ラウンド目が終わると、演出表示ＧＥ２が表示される。演出表示ＧＥ２は、文字表示「チャンスタイム突入」を含む大当り終了演出である。
なお、「チャンスタイム」とは、上述した低確時短モードの別の呼称であり、以下の説明においても同様である。
【０１３４】
上述したように、同じ特図１に係る特図停止図柄である図柄Ｂ及び図柄Ｃは、大当り遊技終了後に移行する遊技状態及び演出モードが異なるが、大当り開始演出と８ラウンドまでに行われる大当り中演出の演出内容が共通している為、その結果を見るまで（９ラウンド以降まで）遊技者に移行先となる遊技状態及び演出モードを判別させがたい（正確には特定領域が通過可能に開放されるか分からない）仕様になっている。
【０１３５】
次に、確変モードにおいて特図停止図柄が図柄ｂである場合について図１３（ａ）を用いて説明する。図１３（ａ）は、当該場合に実行される大当り演出の内容を示している。
この場合、文字表示「チャレンジＢＯＮＵＳ」を含む演出表示ＧＳ３は、大当りのタイトル表示であり、大当り開始演出として表示され、図１２に示される大当り開始演出と異なる態様とされている。
【０１３６】
大当り開始演出の終了後、ラウンド遊技中（１ラウンド開始後から１０ラウンド終了までの間）に大当り中演出が実行される。大当り中演出が行われている間は、原則として、楽曲選択有効期間であり、メイン表示部８１の右下隅部に、上述した楽曲選択表示ＧＡが表示される。
【０１３７】
１ラウンド開始後から８ラウンド終了までの間のいずれかの期間（例えば、８ラウンド中）に演出表示ＧＭ３１が表示される。演出表示ＧＭ３１は、文字表示「Ｖチャレンジ」を含み、遊技者に演出ボタン３７を連打することを促すボタン画像と、演出ボタン３７の連打数に応じて増加するメータ画像とを含んでいる。この演出表示ＧＭ３１が表示されている間、演出ボタン３７に対する操作が有効とされる。
なお、この期間においては楽曲選択が無効とされ、楽曲選択表示ＧＡが非表示になる。楽曲選択に係る操作として演出ボタン３７を用いることができないからである。
【０１３８】
その後、９ラウンド目に、文字表示「Ｖチャレンジ  成功」を含む演出表示ＧＭ３２が表示される。
そして、１０ラウンド目に、文字表示「Ｖを狙え！！」を含む演出表示ＧＭ３３が表示される。このとき、大当り遊技制御手段１６０によって、大入賞口５５内に設けられた特定領域の通過が容易となるように制御される。
【０１３９】
１０ラウンド目が終わり、今回の大当り遊技が終了すると、特定領域の通過が検知されていることを条件に特図高確且つ普図高確とされると共に、演出表示ＧＥ３が表示される。
演出表示ＧＥ３は、文字表示「確変継続」を含み、大当り終了演出として表示される。
【０１４０】
次に、確変モードにおいて特図停止図柄が図柄ｃである場合について図１３（ｂ）を用いて説明する。図１３（ｂ）は、当該場合に実行される大当り演出の内容を示している。
この場合も、図１３（ａ）に示す場合と同様に、文字表示「チャレンジＢＯＮＵＳ」を含む演出表示ＧＳ３が大当り開始演出として表示される。
【０１４１】
大当り開始演出の終了後、ラウンド遊技中に大当り中演出が実行され、大当り中演出が行われている間は、原則として、楽曲選択有効期間であって楽曲選択表示ＧＡが表示される点においても、図１３（ａ）に示す場合と同様である。
【０１４２】
１ラウンド開始後から８ラウンド終了までの間のいずれかの期間（例えば、８ラウンド中）に演出表示ＧＭ４１が表示される。演出表示ＧＭ４１は、演出表示ＧＭ３１と同様に、文字表示「Ｖチャレンジ」を含み、遊技者に演出ボタン３７を連打することを促すボタン画像と、演出ボタン３７の連打数に応じて増加するメータ画像とを含んでいる。この演出表示ＧＭ３１が表示されている間、演出ボタン３７に対する操作が有効とされる。
なお、この期間においても楽曲選択が無効とされ、楽曲選択表示ＧＡが非表示になる。
【０１４３】
その後、９ラウンド目に、文字表示「Ｖチャレンジ  失敗」を含む演出表示ＧＭ４２が表示され、９ラウンド目が終わると、演出表示ＧＥ４が表示される。演出表示ＧＥ４は、文字表示「チャンスタイム突入」を含む大当り終了演出である。
【０１４４】
上述したように、同じ特図２に係る特図停止図柄である図柄ｂ及び図柄ｃは、大当り遊技終了後に移行する遊技状態及び演出モードが異なるが、大当り開始演出と８ラウンドまでに行われる大当り中演出の演出内容が共通している為、その結果を見るまで（９ラウンド以降まで）遊技者に移行先となる遊技状態及び演出モードを判別させがたい（正確には特定領域が通過可能に開放されるか分からない）仕様になっている。
【０１４５】
なお、図示省略するが、低確時短モードにおいて特図停止図柄が図柄ｂである場合における大当り演出は、図１３（ａ）に示すものと同様であってもよい。但し、当該場合については、大当り終了演出として表示される内容が低確時短モードから確変モードに移行する旨を示す文字表示「確変スライド」に変更されてもよい。
また、図示省略するが、低確時短モードにおいて特図停止図柄が図柄ｃである場合における大当り演出は、図１３（ｂ）に示すものと同様であってもよい。但し、当該場合については、大当り終了演出として表示される内容が低確時短モードが継続する旨を示す文字表示「チャンスタイム継続」に変更されてもよい。
【０１４６】
次に、確変モードにおいて特図停止図柄が図柄ａである場合について図１４（ａ）を用いて説明する。図１４（ａ）は、当該場合において実行される大当り演出の内容を示している。
この場合、文字表示「スーパーＢＯＮＵＳ」を含む演出表示ＧＳ５が大当り開始演出として表示される。大当り開始演出である演出表示ＧＳ５は、大当りのタイトル表示であり、図１２及び図１３に示される大当り開始演出と異なる態様とされている。
【０１４７】
その後、ラウンド遊技が進み、１０ラウンド目において文字表示「Ｖを狙え！！」を含む演出表示ＧＭ５１が表示される。このとき、Ｖ開放されるよう制御される。
【０１４８】
１０ラウンド目が終わり、今回の大当り遊技が終了すると、Ｖ開放時にＶ入賞が検知されていることを条件に特図高確且つ普図高確とされると共に、演出表示ＧＥ５が表示される。
演出表示ＧＥ５は、文字表示「確変継続」を含む大当り終了演出である。
【０１４９】
上述したように、図１４（ａ）の例では、大当り中演出には、演出表示ＧＭ５１が含まれている一方で、図１２や図１３に示すような、結果を見るまで遊技者に移行先となる遊技状態を判別させがたい演出内容が含まれない。言い換えれば、上記の場合における大当り演出は、遊技状態が特図高確且つ普図高確（確変モード）に移行することを、遊技者が確定的に認識することができる演出内容になっている。
【０１５０】
次に、通常モードにおいて特図停止図柄が図柄Ａである場合について図１４（ｂ）を用いて説明する。図１４（ｂ）は、当該場合において実行される大当り演出の内容を示している。
大当り開始演出である演出表示ＧＳ６や大当り中演出である演出表示ＧＭ６１は、図１４（ａ）に示す演出表示ＧＳ５や演出表示ＧＭ５１と共通態様になっている。
【０１５１】
１０ラウンド目が終わり、今回の大当り遊技が終了すると、Ｖ開放時にＶ入賞が検知されていることを条件に特図高確且つ普図高確とされると共に、演出表示ＧＥ６が表示される。
演出表示ＧＥ６は、文字表示「確変突入」を含む大当り終了演出である。
【０１５２】
上述したように、図１４に示す例では、大当り中演出には、演出表示ＧＭ５１が含まれている一方で、図１２や図１３に示すような演出内容、即ち結果を見るまで遊技者に移行先となる遊技状態を判別させがたい演出内容が含まれない。言い換えれば、上記の場合における大当り演出は、大当り遊技後の遊技状態が特図高確且つ普図高確（大当り遊技終了後の演出モードが確変モード）であることを、遊技者が確定的に認識することができる演出内容になっている。
【０１５３】
なお、図示省略するが、低確時短モードにおいて特図停止図柄が図柄ａである場合における大当り演出は、図１４（ａ）に示すものと同様であってもよい。但し、当該場合については、大当り終了演出として表示される内容が低確時短モードから確変モードに移行する旨を示す文字表示「確変スライド」に変更されてもよい。
【０１５４】
以上説明したように、本実施形態における大当り遊技には、スーパーボーナス、チャレンジボーナス及び対決ボーナスがあり、スーパーボーナスは、終了後に確変モード（特図高確且つ普図高確）になることが確定している点において、チャレンジボーナス及び対決ボーナスに比べて有利であると言える。また、チャレンジボーナス及び対決ボーナスは、大当り中演出の結果のいかん（Ｖチャレンジの成否又は対決の勝敗）によって、終了後に確変モード（特図高確且つ普図高確）になるか否かを示唆する。
言い換えれば、大当り遊技には、互いに有利度合いが異なる第一の大当り遊技（スーパーボーナス）と、第二の大当り遊技（チャレンジボーナス）と、が含まれ、第二の大当り遊技は、第一の大当り遊技より不利な大当り遊技であり、演出制御手段（第１副制御基板２００）は、第二の大当り遊技中に、演出の成否によって当該演出後の有利度合いを示す大当り演出を実行可能であると言える。
【０１５５】
＜選曲カウンタ設定処理について＞
次に、楽曲選択手段２２８によって実行される選曲カウンタ設定処理について、図１５、図１６を用いて説明する。
図１５は、大当り遊技の開始時における選曲カウンタ設定処理の処理手順を示すフローチャートであり、図１６は、楽曲選択有効期間における選曲カウンタ設定処理の処理手順を示すフローチャートである。
なお、以下の説明において「楽曲Ａ」「楽曲Ｂ」「楽曲Ｃ」「楽曲Ｄ」「楽曲Ｅ」と呼称されるものは、それぞれ独立して楽曲に相当するものであり、互いに相違する。
【０１５６】
ここで選曲カウンタとは、楽曲選択（選曲カウンタ設定処理）に用いられる計数手段であり、そのカウント値Ｎに応じてスピーカ３３から再生される楽曲が選択される。
例えば、カウント値Ｎが「１」である場合には楽曲Ａが選択され、カウント値Ｎが「２」である場合には楽曲Ｂが選択され、カウント値Ｎが「３」である場合には楽曲Ｃが選択され、カウント値Ｎが「４」である場合には楽曲Ｄが選択される。
【０１５７】
先ず、大当り遊技の開始時における選曲カウンタ設定処理について説明する。
ステップＳ３０２では、大当り開始コマンドを受信したか否かを判定する。当該条件を充足した場合、ステップＳ３０４に進み、当該条件を充足しない場合、選曲カウンタ設定処理は終了となる。
【０１５８】
ステップＳ３０４では、ステップＳ３０２で受信した大当り開始コマンドが示す大当り遊技の種別がスーパーボーナスに該当するか否かを判定する。当該条件を充足した場合、ステップＳ３０６に進み、当該条件を充足しない場合、ステップＳ３１６に進む。
【０１５９】
ステップＳ３０６では、ステップＳ３０２で受信した大当り開始コマンドが示す大当り遊技が初回突入ボーナスに該当するか否かを判定する。当該条件を充足した場合、ステップＳ３０８に進み、当該条件を充足しない場合、ステップＳ３１４に進む。
ここで初回突入ボーナスとは、いわゆる連チャンの開始契機となる（１回目の）大当り遊技である。具体的には、通常モード（特図低確且つ普図低確）において特図停止図柄が図柄Ａである場合又は対決ボーナス終了後の低確時短モード（特図低確且つ普図高確）において特図停止図柄が図柄ａである場合に、ステップＳ３０６の条件を充足する。
【０１６０】
ステップＳ３０８では、選曲カウンタのカウント値Ｎに対して「１」を設定し、ステップＳ３１０に進む。
【０１６１】
ステップＳ３１４では、選曲カウンタのカウント値Ｎに対して「１」を加算し、ステップＳ３１０に進む。
【０１６２】
ステップＳ３１６では、ステップＳ３０２で受信した大当り開始コマンドが示す大当り遊技の種別がチャレンジボーナスに該当するか否かを判定する。当該条件を充足した場合、ステップＳ３１８に進み、当該条件を充足しない場合、ステップＳ３２２に進む。
【０１６３】
ステップＳ３１８では、ステップＳ３０２で受信した大当り開始コマンドが示す大当り遊技が初回突入ボーナスに該当するか否かを判定する。当該条件を充足した場合、ステップＳ３２０に進み、当該条件を充足しない場合、選曲カウンタのカウント値Ｎを維持したまま、ステップＳ３１０に進む。
具体的には、対決ボーナス終了後の低確時短モード（特図低確且つ普図高確）において特図停止図柄が図柄ｂである場合に、ステップＳ３１８の条件を充足する。
【０１６４】
ステップＳ３２０では、選曲カウンタのカウント値Ｎに対して「１」を設定し、ステップＳ３１０に進む。
【０１６５】
ステップＳ３１０では、現在設定されている選曲カウンタのカウント値Ｎに応じた楽曲に係るコマンドが所定の記憶領域に格納され、第１副制御基板２００から第２副制御基板３００に対して送信され、ステップＳ３１２に進む。
なお、ここで設定されるコマンドは、上述した第１副制御基板２００から第２副制御基板３００に対して送信される「楽曲に係る楽曲データを音声ＲＯＭから読み出してスピーカ３３に再生させる為のコマンド」に含まれるものである。
【０１６６】
ステップＳ３１２では、楽曲選択を有効にする（楽曲選択有効期間に移行させる）。そして、選曲カウンタ設定処理は終了となる。
【０１６７】
ステップＳ３２２では、現在設定されている選曲カウンタのカウント値Ｎに関わらず、楽曲Ｅに応じた楽曲に応じたコマンドが所定の記憶領域に格納され、第１副制御基板２００から第２副制御基板３００に対して送信され、選曲カウンタ設定処理は終了となる。
【０１６８】
次に、大当り遊技の開始時を除く楽曲選択有効期間における選曲カウンタ設定処理について説明する。
ステップＳ４０２では、左カーソルボタン３８ｃが押下されたか否かを判定する。当該条件を充足した場合、ステップＳ４０４に進み、当該条件を充足しない場合、ステップＳ４０６に進む。
【０１６９】
ステップＳ４０４では、選曲カウンタのカウント値Ｎから「１」を減算し、ステップＳ４１０に進む。
【０１７０】
ステップＳ４０６では、右カーソルボタン３８ｄが押下されたか否かを判定する。当該条件を充足した場合、ステップＳ４０８に進み、当該条件を充足しない場合、選曲カウンタ設定処理を終了する。
【０１７１】
ステップＳ４０８では、選曲カウンタのカウント値Ｎに対して「１」を加算し、ステップＳ４１０に進む。
【０１７２】
ステップＳ４１０では、演出ボタン３７が押下されたか否かを判定する。当該条件を充足した場合、ステップＳ４１２に進み、当該条件を充足しない場合、選曲カウンタ設定処理を終了する。
【０１７３】
ステップＳ４１２では、現在設定されている選曲カウンタのカウント値Ｎに対応する楽曲と、現在再生している楽曲とが相違するか否かを判定する。当該条件を充足した場合、ステップＳ４１４に進み、当該条件を充足しない場合、選曲カウンタ設定処理を終了する。
【０１７４】
ステップＳ４１４では、現在設定されている選曲カウンタのカウント値Ｎに応じた楽曲に係るコマンドが所定の記憶領域に格納され、第１副制御基板２００から第２副制御基板３００に対して送信され、選曲カウンタ設定処理は終了となる。
【０１７５】
なお、ステップＳ３１０、ステップＳ３２２又はステップＳ４１４において送信されたコマンドを受信した第２副制御基板３００は、当該コマンドに応じた楽曲データを音声ＲＯＭから読み出してスピーカ３３に再生させるので、遊技者は状況に応じた内容の楽曲再生を観賞することができる。
【０１７６】
＜各楽曲に対応するコマンドについて＞
次に、各楽曲に対応するコマンドについて、図１７を用いて説明する。
図１７は、選曲カウンタ設定処理によって選択されうる楽曲に係る楽曲データと、各楽曲データに対応するコマンドの具体例を示す図である。なお、ここで挙げた楽曲データ及びコマンドは、遊技機１０が再生可能に有する楽曲データ及びこれらに対応するコマンドの全てを示すものではなく、本発明の説明に必要なものを挙げたに過ぎない。
なお、図１７に図示するコマンドはいずれも、上述した第１副制御基板２００から第２副制御基板３００に対して送信される「楽曲に係る楽曲データを音声ＲＯＭから読み出してスピーカ３３に再生させる為のコマンド」に含まれるものである。
【０１７７】
上述した選曲カウンタ設定処理のうち、ステップＳ３１０及びステップＳ４１４において送信されるコマンドは、図７（ａ）に示すコマンドの中から決定される。例えば、この状況において、選曲カウンタのカウント値が１である場合には「Ａ−１」のコマンドが送信され、選曲カウンタのカウント値が２である場合には「Ｂ−１」のコマンドが送信され、選曲カウンタのカウント値が３である場合には「Ｃ−１」のコマンドが送信され、選曲カウンタのカウント値が４である場合には「Ｄ−１」のコマンドが送信される。
図７（ａ）に示される４種類のコマンドは、いずれも楽曲の１番パートをループ再生させる楽曲データをスピーカ３３に再生させる為のコマンドである。ここで「１番パート」とは、楽曲を構成するパートのうち前半部分を含むパートであり、同一の楽曲の後半部分を含む「２番パート」との対比において当該楽曲の時系列において先行するパートである。
例えば、或る楽曲が（i）イントロ、（ii）Ａメロ、（iii）Ｂメロ、（iv）サビ、（v）間奏、（vi）Ａメロ、（vii）Ｂメロ、（viii）サビ、（ix）間奏、（x）Ｃメロ、（xi）サビ、（xii）アウトロ、の順に構成されているものと仮定すると、広くは（i）から（v）までを、特に（ii）及び（iii）を「１番パート」と呼称するのが一般的である。また、「１番パート」より後の部分については、広くは（vi）から（ix）までを、特に（vi）及び（vii）を「２番パート」と呼称するのが一般的である。
但し、ここで挙げた楽曲の構成は一具体例であり、この構成に当て嵌まらないとしても、楽曲の時系列において先行するパートと後続するパートとをそれぞれ、適宜「１番パート」及び「２番パート」として扱ってもよい。
【０１７８】
ここで、スーパーボーナス又はチャレンジボーナスにおいて図７（ａ）に示される４種類のコマンドに対応する楽曲データ（１番パート）のループ再生をしている場合、当該楽曲データの最終部分の再生時とそのボーナス（大当り遊技）の終了時とは必ずしも一致しない。このとき、楽曲選択手段２２８は、ボーナス終了後の図柄変動に跨がって当該楽曲データの再生を継続し、当該楽曲データの最終部分まで再生させることができる。
言い換えれば、演出制御手段（第１副制御基板２００）は、大当り遊技の少なくとも一部（例えば、スーパーボーナス）において、該大当り遊技中に第一の楽曲データ（例えば、「Ａ−１」のコマンドに対応する楽曲データ）を再生させ、該大当り遊技の終了時において再生させている楽曲が第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる場合（以下、第一の場合と称する）があるものと言える。
この音声制御により、再生されている楽曲に関心を寄せている遊技者の興趣を損なうことを防ぐと共に、大当り遊技と当該大当り遊技の終了後の状態（例えば、確変モード）との一体感を遊技者に対して強めることができる。
また、該大当り遊技中に再生させる第一の楽曲データが、楽曲選択に係る操作を行うことによって遊技者が任意に選択したものである場合、遊技者の選択意思を尊重することができ、その結果として遊技者の満足感を高めることができる。
【０１７９】
一方、連チャン中における図柄変動中若しくは図柄変動が可能な状態（保留されている図柄変動が零である状態）において、楽曲選択手段２２８は、図７（ａ）に示される４種類のコマンドに対応する楽曲データ（１番パート）の最終部分を再生させると、当該最終部分に連続しているパートから始まる楽曲データ（２番パート）の再生を開始させる為に、図７（ｂ）に示すコマンドの中から送信するコマンドを決定する。例えば、選曲カウンタのカウント値が１である場合には「Ａ−２」のコマンドが送信され、選曲カウンタのカウント値が２である場合には「Ｂ−２」のコマンドが送信され、選曲カウンタのカウント値が３である場合には「Ｃ−２」のコマンドが送信され、選曲カウンタのカウント値が４である場合には「Ｄ−２」のコマンドが送信される。これにより、楽曲選択手段２２８は、あたかも同一の楽曲の１番パートと２番パートとを継続して再生させているかのような音声出力を実現することができる。
言い換えれば、第一の楽曲データ（例えば、「Ａ−１」のコマンドに対応している楽曲データ）は、第一楽曲（楽曲Ａ）の一部である第一パート（１番パート）から構成されるものであり、演出制御手段（第１副制御基板２００）によって再生させうる楽曲データには、第一の楽曲データと、第一パートの最終部分に対して第一楽曲において連続している第二パート（２番パート）から開始される第二の楽曲データ（「Ａ−２」のコマンドに対応している楽曲データ）と、が含まれるものと言える。そして、演出制御手段（第１副制御基板２００）は、第一の場合において第一の楽曲データの再生を終了させるとき、第一パートと第二パートとが連続するように第二の楽曲データを再生させることができるものと言える。
この音声制御により、制御上は２つの楽曲データを続けて再生しているにも関わらず、遊技者にとっては１つの楽曲が再生されているかのような印象を受け、遊技者が抱く演出全体として繋がっている心証（連チャン中であることの心証）を強めることができる。
【０１８０】
なお、本実施形態において「連チャン中」とは、確変モード中、確変モード中の大当りによって生起される大当り遊技、当該大当り遊技終了後の低確時短モード、及び当該低確時短モード中の確変大当りによって生起される大当り遊技を含むものとするが、本発明の実施はこれに限られない。
また、上記の「第一の場合において第一の楽曲データの再生を終了させるとき、第一パートと第二パートとが連続するように第二の楽曲データを再生させることができる」とは、再生させた楽曲データの音声が、連続しているように遊技者に聞こえる（現象として連続性を有する）ことを趣旨とする表現である。従って、実際の音声制御上は、必ずしも第一の楽曲データの最終部分と第二の楽曲データの冒頭部分が厳密に連続している（前者の終了時と後者の開始時が一致している）必要はなく、前者の再生期間の最終部分と後者の再生期間の冒頭部分が重複してもよいし分離してもよい。
【０１８１】
図７（ｂ）に示すコマンドに対応する楽曲データは、２番パートの後に１番パートが連続してつながっており、且つ、２番パート、１番パートの順にループ再生される構成になっている。
言い換えれば、第二の楽曲データ（例えば、「Ａ−２」のコマンドに対応している楽曲データ）は、第二パート（２番パート）の終了部分が第一パート（１番パート）の開始部分につながる構成になっており、演出制御手段（第１副制御基板２００）は、第一の場合における第一の楽曲データの再生後に、第二の楽曲データを繰り返し再生させることができるようになっている。
ここで「第一の楽曲データの再生後に、第二の楽曲データを繰り返し再生させる」とは、上記の「第一の場合において第一の楽曲データの再生を終了させるとき、第一パートと第二パートとが連続するように第二の楽曲データを再生させることができる」の趣旨に反しない範囲で、第二の楽曲データの繰り返し再生が、第一の楽曲データの再生より時系列的に後であれば足り、第一の楽曲データの再生期間の最終部分と第二の楽曲データの再生期間の冒頭部分が重複することを排除するものではない。
【０１８２】
なお、本実施形態では「第一の楽曲データ」に相当するものを楽曲のパートであるものとして説明したが、楽曲の全部であってもよい。このとき、当該楽曲を大当り遊技と大当り遊技終了後の図柄変動に跨がって再生させ、当該楽曲の全部が終了したタイミングで、別の楽曲に係る楽曲データを再生させてもよい。
また、本実施形態では「第一の楽曲データ」及び「第二の楽曲データ」に相当するものを、楽曲の１番パートのみからなる楽曲データ及び同一の楽曲の２番パートの後に１番パートに連続して繋がる楽曲データとしたが、これに代えて、「第一の楽曲データ」を楽曲の１番パートのみからなる楽曲データ、「第二の楽曲データ」を、楽曲の２番パートのみからなる楽曲データとして、それぞれを交互に再生させることでも同等の楽曲再生を実現することができる。
【０１８３】
上述した選曲カウンタ設定処理のうち、ステップＳ３２２において送信されるコマンドは、図７（ｃ）に示す「Ｅ−１」のコマンドである。当該コマンドに対応する楽曲データは、楽曲Ｅをループ再生させる為のものである。また、楽曲Ｅは、ステップＳ３２２に係る処理を除いて再生される機会がない楽曲（遊技者が任意に選択できない楽曲）である為、当該コマンドは特定の大当り遊技（対決ボーナス）の開始時にのみ送信されうるコマンド（対決ボーナスの専用楽曲である楽曲Ｅを再生させる為のコマンド）であると言える。
【０１８４】
「Ｅ−１」のコマンドに対応する楽曲データは、再生される対決ボーナスの終了後の遊技状態及び演出モードに応じて、再生終了タイミングが異なる。
具体的には、終了後に確変モード（特図高確且つ普図高確）に移行する場合には、楽曲選択手段２２８は、対決ボーナスの終了時に当該楽曲データの再生を終了させる。このとき、楽曲選択手段２２８は、終了直後の図柄変動（１回目の図柄変動）の変動開始コマンドの受信（楽曲選択が有効になること）を契機として、図１５及び図１６に図示されない処理によって、選曲カウンタのカウント値Ｎに対して「１」を設定し、楽曲Ａを再生させる為のコマンドを第２副制御基板３００に送信する。
また、終了後に低確時短モード（特図高確且つ普図低確）に移行する場合には、楽曲選択手段２２８は、対決ボーナスの終了後の図柄変動に跨がって当該楽曲データのループ再生を継続させる。このとき、楽曲選択手段２２８は、当該低確時短モードが別の演出モードに移行すること、又は新たな大当りによって生起する大当り遊技の開始することを契機として当該楽曲データの再生を終了させる。
【０１８５】
従って、大当り遊技（対決ボーナス）の終了時に楽曲データの再生を終了させる場合（以下、第二の場合と称する）があるものと言える。
【０１８６】
ここで上述した第一の場合は、上記のスーパーボーナス又はチャレンジボーナスの終了後において発生しうるものであるのに対して、第二の場合は対決ボーナスの終了後に発生しうるものである。
従って、第一の場合は、第一の大当り遊技が終了した後に生じうるものであり、第二の場合は、第二の大当り遊技の終了時に生じうるものであると言える。
【０１８７】
或いは、ここで第一の場合はチャレンジボーナス終了後又は対決ボーナス終了後の低確時短モード（特図高確且つ普図低確）において発生しうるものであるのに対して、第二の場合は対決ボーナス後の確変モード（特図高確且つ普図高確）において発生しうるものである。
従って、第一の場合は、大当り遊技の終了時に第一遊技状態（特図高確且つ普図低確）に移行した場合に生じうるものであり、第二の場合は、大当り遊技の終了時に第二遊技状態（特図高確且つ普図高確）に移行した場合に生じうるものであると言える。
【０１８８】
なお、本実施形態において「楽曲Ａ」に対応する楽曲データは、上述した「Ａ−１」のコマンドに対応する楽曲データ及び「Ａ−２」のコマンドに対応する楽曲データの他に、図７（ｄ）に示す「Ａ−３」のコマンドに対応する楽曲データが存在する。
当該楽曲データは、後述する特定リーチ演出の実行期間に再生されるものであり、楽曲Ａの１番パートを含んでいる。ここで当該楽曲データの再生時間は、特定リーチ演出の実行期間と略一致している為、ループ再生されることはない。
【０１８９】
＜楽曲データに係る音声制御の具体例について＞
続いて、上述した各楽曲を再生させる為の楽曲データに係る音声制御の具体例について、図１８〜図２２を用いて説明する。
なお、図１８〜図２２に示すタイムチャートは、いずれも模式的なものであり、各図に図示する帯の長さの長短は、実際の時間の長短に必ずしも比例するものではない。
【０１９０】
図１８は、スーパーボーナス及びスーパーボーナス終了後における音声制御のタイムチャートである。
【０１９１】
図１８（ａ）に示すように、スーパーボーナスにおいて「Ａ−１」のコマンドに対応する楽曲データ（同図では「楽曲Ａ（選曲時）」と表記、以下同様）のループ再生は、スーパーボーナスの実行期間から当該スーパーボーナスの終了後における確変モードの滞在期間にまで跨がっている。そして、スーパーボーナスの終了時に再生されていた楽曲Ａの１番パートが終了するタイミング（同図では「１番終了」と表記、以下同様）において、当該楽曲データのループ再生を終了させると共に、「Ａ−２」のコマンドに対応する楽曲データ（同図では「楽曲Ａ（連チャン中）」と表記、以下同様）のループ再生が開始される。当該確変モードの滞在期間において新たに大当りに当選してチャレンジボーナスが開始される場合、ループ再生中の「Ａ−２」のコマンドに対応する楽曲データは、再生部分がいずれであるかに関わらず中断される（同図では「中断」と表記、以下同様）。ここで当該チャレンジボーナスの開始時に設定される選曲カウンタのカウント値Ｎは「１」のままで維持されるので、再生される楽曲データは「Ａ−１」のコマンドに対応する楽曲データである。
【０１９２】
一方、図１８（ｂ）に示すように、スーパーボーナスの終了後における確変モードの滞在期間において新たに大当りに当選してスーパーボーナスが開始される場合、その開始時に設定される選曲カウンタのカウント値Ｎは加算されて「２」になるので、当該スーパーボーナスにおいて再生される楽曲データは「Ｂ−１」のコマンドに対応する楽曲データ（同図では「楽曲Ｂ（選曲時）」と表記、以下同様）である。
【０１９３】
なお、図１８（ｂ）では２回目のスーパーボーナスの終了後のタイムチャートについて図示省略するが、その後は、図１８に図示した１回目のスーパーボーナスの終了後と同様に、スーパーボーナスにおいてループ再生した楽曲データ（ここでは「Ｂ−１」のコマンドに対応する楽曲データ）が当該スーパーボーナスの終了後における確変モードの滞在期間にまで跨がって行われ、楽曲の１番パートが終了するタイミングにおいて当該楽曲データのループ再生が終了し、同じ楽曲の２番パートから始まる楽曲データ（「Ｂ−２」のコマンドに対応する楽曲データ）のループ再生が１番パートの最終部分に連続するように開始される。
【０１９４】
従って、演出制御手段（第１副制御基板２００）は、第二の楽曲データ（「Ａ−２」のコマンドに対応する楽曲データ）を繰り返し再生させている図柄変動において大当りに当選し、該図柄変動の終了時に大当り遊技が開始された場合の少なくとも一部（スーパーボーナスが開始された場合）において、該大当り遊技中に第一楽曲（楽曲Ａ）とは異なる第二楽曲（楽曲Ｂ）の一部である第三パートから構成される第三の楽曲データ（「Ｂ−１」のコマンドに対応する楽曲データ）を再生させ、該大当り遊技の終了時において再生させている楽曲が第三の楽曲データの途中部分であるとき、該大当り遊技の終了後の図柄変動に跨がって該第三の楽曲データの再生を継続し、該第三の楽曲データの最終部分を再生させた後に該第三の楽曲データの再生を終了させ、該第三の楽曲データの再生を終了させるとき、第三パートの最終部分に対して第二楽曲において連続している第四パートから開始される第四の楽曲データ（「Ｂ−２」のコマンドに対応する楽曲データ）を、第三パートと第四パートとが連続するように再生させるものと言える。
【０１９５】
図１９は、スーパーボーナス及びスーパーボーナス終了後における音声制御のタイムチャートである。
【０１９６】
図１９（ａ）に示すように、スーパーボーナスにおいて「Ａ−１」のコマンドに対応する楽曲データのループ再生をしている最中に、遊技者が楽曲選択に係る操作（同図では「楽曲選択」と表記、以下同様）を行って「楽曲Ｂ」を選択した場合、「Ｂ−１」のコマンドに対応する楽曲データのループ再生が開始される。そして、当該楽曲データのループ再生は当該スーパーボーナスの終了時に再生されていた１番パートが終了するタイミングにおいて、終了し、連続して「Ｂ−２」のコマンドに対応する楽曲データ（同図では「楽曲Ｂ（連チャン中）」と表記）のループ再生が開始される。また、当該確変モードの滞在期間において遊技者が楽曲選択に係る操作を行って「楽曲Ｃ」を選択した場合、「Ｃ−１」のコマンドに対応する楽曲データ（同図では「楽曲Ｃ（選曲時）」と表記）のループ再生が開始される。そして、当該楽曲データのループ再生は１番パートが終了するタイミング（当該楽曲データを１回再生して終了するタイミング）において終了し、連続して「Ｃ−２」のコマンドに対応する楽曲データ（同図では「楽曲Ｃ（連チャン中）」と表記）のループ再生が開始される。ここで当該楽曲データの再生中（確変モード中）に新たに大当りに当選してスーパーボーナスが開始される場合、ループ再生中の「Ｃ−２」のコマンドに対応する楽曲データは、再生部分がいずれであるかに関わらず中断される。当該スーパーボーナスの開始時に設定される選曲カウンタのカウント値Ｎは加算されて「４」になるので、当該スーパーボーナスにおいて再生される楽曲データは「Ｄ−１」のコマンドに対応する楽曲データ（同図では「楽曲Ｄ（選曲時）」と表記）である。
【０１９７】
一方、図１９（ｂ）に示すように、スーパーボーナスの終了後の確変モードにおいて「Ｂ−２」のコマンドに対応する楽曲データのループ再生が行われている場合において、待機デモコマンドを受信すると（同図では「待機デモコマンド」と表記）、当該楽曲データのループ再生は継続するものの、音量が零になる（ミュートされる）。従って、遊技者は楽曲Ｂの再生を聴くことができなくなる。ここで待機デモコマンドを契機として実行されるデモ演出が音声出力を伴うものである場合には、その音声に遊技者の関心は移ることになる。なお、同図において「Ｂ−２」のコマンドに対応する楽曲データの再生期間のうち破線でしめす期間は、当該楽曲データがミュートされている期間を表している。また、図示省略するが、当該デモ期間において新たに図柄変動が開始された場合（新たに始動口入賞が生じた場合）、ミュート中の当該楽曲データのループ再生を継続したまま音量が元に戻る。
【０１９８】
図２０は、チャレンジボーナス及びチャレンジボーナス終了後における音声制御のタイムチャートである。
【０１９９】
図２０（ａ）に示すように、チャレンジボーナスにおいてループ再生されている「Ａ−１」のコマンドに対応する楽曲データは、上述したチャレンジボーナス中に行われるＶチャレンジに成功すると「Ｂ−１」のコマンドに対応する楽曲データのループ再生に切り替わる。具体的には、Ｖチャレンジ成功後のラウンド（１０Ｒ）開始時に、楽曲選択手段２２８は、それまで再生していた楽曲データのループ再生を終了させる。このとき、楽曲選択手段２２８は、図１５及び図１６に図示されない処理によって、選曲カウンタのカウント値Ｎに対して「１」を加算し、加算後のカウント値Ｎに対応する楽曲データのループ再生を開始させる為のコマンド（ここでは「Ｂ−１」のコマンド）を第２副制御基板３００に送信する。
図２０（ａ）においては、Ｖチャレンジ成功時に開始された「Ｂ−１」のコマンドに対応する楽曲データのループ再生は、チャレンジボーナスの実行期間から当該チャレンジボーナスの終了後における確変モードの滞在期間にまで跨がっている。そして、チャンレンジボーナスの終了時に再生されていた楽曲Ｂの１番パートが終了するタイミングにおいて、当該楽曲データのループ再生を終了させると共に、「Ｂ−２」のコマンドに対応する楽曲データのループ再生が開始される。
そして、当該確変モードの滞在期間において大当りに当選せず、１００回の図柄変動が終了して当該確変モードから通常モードに移行する場合、ループ再生中の「Ｂ−２」のコマンドに対応する楽曲データは、再生部分がいずれであるかに関わらず中断されて、通常モードに再生される楽曲データ（同図では「通常ＢＧＭ」と表記、以下同様）の再生が開始される。
なお、通常モードに再生される楽曲データは、「楽曲Ａ」「楽曲Ｂ」「楽曲Ｃ」「楽曲Ｄ」「楽曲Ｅ」のいずれの楽曲にも該当しないものであることが好ましいが、これらのいずれかの楽曲に該当するものであることを許容する。
【０２００】
なお、図２０（ａ）ではチャレンジボーナスの開始前のタイムチャートについて図示省略するが、楽曲Ａを再生させている期間においてチャレンジボーナスに当選した場合、当該チャレンジボーナスの開始時における選曲カウンタ設定処理ではカウント値Ｎが維持される点については、図１５を用いて説明したとおりである。従って、例えば、「Ａ−２」のコマンドに対応する楽曲データをループ再生している場合にチャレンジボーナスに当選した場合、当該チャレンジボーナスではＶチャレンジに成功するまで「Ａ−１」のコマンドに対応する楽曲データをループ再生することになる。
【０２０１】
従って、演出制御手段（第１副制御基板２００）は、第二の楽曲データ（「Ａ−２」のコマンドに対応する楽曲データ）を繰り返し再生させている図柄変動において大当りに当選し、該図柄変動の終了時に第二の大当り遊技（チャレンジボーナス）が開始され且つ該第二の大当り遊技における大当り演出（Ｖチャレンジ）に成功した場合に該第二の大当り遊技中に第三の楽曲データ（「Ｂ−１」のコマンドに対応する楽曲データ）を再生させ、該第二の大当り遊技の終了時において再生させている楽曲が第三の楽曲データの途中部分であるとき、該第二の大当り遊技の終了後の図柄変動に跨がって該第三の楽曲データの再生を継続し、該第三の楽曲データの最終部分を再生させた後に該第三の楽曲データの再生を終了させ、該第三の楽曲データの再生を終了させるとき、第四の楽曲データ（「Ｂ−２」のコマンドに対応する楽曲データ）を、第三パート（楽曲Ｂの１番パート）と第四パート（楽曲Ｂの２番パート）とが連続するように再生させるものと言える。
【０２０２】
一方、図２０（ｂ）に示すように、チャレンジボーナスにおいてループ再生されている「Ａ−１」のコマンドに対応する楽曲データは、上述したチャレンジボーナス中に行われるＶチャレンジに失敗した場合には、そのループ再生を継続する。同図において、当該楽曲データのループ再生は、チャレンジボーナスの実行期間から当該チャレンジボーナスの終了後における低確時短モードの滞在期間にまで跨がっている。そして、チャンレンジボーナスの終了時に再生されていた楽曲Ａの１番パートが終了するタイミングにおいて、当該楽曲データのループ再生を終了させると共に、「Ａ−２」のコマンドに対応する楽曲データのループ再生が開始される。
そして、当該低確時短モードの滞在期間において大当りに当選せず、１００回の図柄変動が終了して当該低確時短モードから通常モードに移行する場合、ループ再生中の「Ａ−２」のコマンドに対応する楽曲データは、再生部分がいずれであるかに関わらず中断されて、通常モードに再生される楽曲データの再生が開始される。
【０２０３】
なお、図２０では図示省略するが、確変モードにおいて大当りに当選し、その大当りがスーパーボーナスである場合には、図１８に図示したスーパーボーナスの終了後と同様に、スーパーボーナスにおいてループ再生した楽曲データ（ここでは「Ｂ−１」のコマンドに対応する楽曲データ）が当該スーパーボーナスの終了後における確変モードの滞在期間にまで跨がって行われ、楽曲の１番パートが終了するタイミングにおいて当該楽曲データのループ再生が終了し、同じ楽曲の２番パートから始まる楽曲データ（「Ｂ−２」のコマンドに対応する楽曲データ）のループ再生が１番パートの最終部分に連続するように開始される。
【０２０４】
図２１は、対決ボーナス及び対決ボーナス終了後における音声制御のタイムチャートである。
【０２０５】
図２１（ａ）に示すように、対決ボーナスにおいてループ再生されている「Ｅ−１」のコマンドに対応する楽曲データは、上述した対決ボーナス中に行われる対決に勝利しても、チャンレンジボーナス中のＶチャレンジの成功とは異なり、当該対決ボーナスの終了時まで当該楽曲データのループ再生は継続する。そして、当該対決ボーナスの終了時に確変モードに移行して、その直後の図柄変動（１回目の図柄変動）の変動開始時に、「Ａ−１」のコマンドに対応する楽曲データの再生が開始される。この再生は楽曲Ａの１番パートが終了するタイミングにおいて（１番パートを繰り返して再生せずに）終了し、連続して「Ａ−２」のコマンドに対応する楽曲データのループ再生が開始される。
そして、当該確変モードの滞在期間において大当りに当選せず、１００回の図柄変動が終了して当該確変モードから通常モードに移行する場合、ループ再生中の「Ａ−２」のコマンドに対応する楽曲データは、再生部分がいずれであるかに関わらず中断されて、通常モードに再生される楽曲データの再生が開始される。
【０２０６】
一方、図２１（ｂ）に示すように、対決ボーナスにおいてループ再生されている「Ｅ−１」のコマンドに対応する楽曲データは、上述した対決演出に失敗した場合も、図２１（ａ）と同様に、そのループ再生を継続する。更に、当該楽曲データのループ再生は、対決ボーナスの実行期間から当該対決ボーナスの終了後における低確時短モードの滞在期間にまで跨がって継続する。
そして、当該低確時短モードの滞在期間において大当りに当選せず、１００回の図柄変動が終了して当該低確時短モードから通常モードに移行する場合、ループ再生中の「Ｅ−１」のコマンドに対応する楽曲データは、再生部分がいずれであるかに関わらず中断されて、通常モードに再生される楽曲データの再生が開始される。
【０２０７】
図２２は、確変モード中の図柄変動においてステップアップ演出が行われる場合における音声制御のタイムチャートである。
なお、図２２に図示する図柄変動（イ）、図柄変動（ロ）、図柄変動（ハ）、図柄変動（ニ）は、連続して実行される図柄変動を区別する為に、その実行順に（イ）、（ロ）、（ハ）、（ニ）を付したものである。従って、各タイムチャートにおいて重複する名称の図柄変動が記載されているが、これらが同一の図柄変動であることを意味するものではない。
【０２０８】
図２２（ａ）に示すように、確変モード中に行われる図柄変動のうち一の図柄変動（ロ）において導入演出がリーチ演出に発展しない場合（同図では「発展なし」と表記）、図柄変動（ロ）より前の図柄変動（ハ）から再生されている「Ａ−２」のコマンドに対応する楽曲データのループ再生は継続される。
ここで「リーチ演出」とは、最後に停止する図柄列を除く図柄列において停止した装飾図柄が同じになった状態（いわゆるリーチ状態）において実行される演出であり、遊技者に大当りの当選を示唆する当選示唆演出の一種である。また、「導入演出」とは、リーチ演出に発展しうる演出であり、それ自体が当選示唆演出であってもよいし当選示唆演出ではなくてもよい。導入演出に該当しうる演出には、ステップアップ予告、セリフ予告（テロップ予告）、擬似連予告等が挙げられる。
【０２０９】
次に、図２２（ｂ）に示すように、確変モード中に行われる図柄変動のうち一の図柄変動（ロ）において導入演出がリーチ演出に発展して（同図では「発展」と表記、以下同様）大当りに当選しない場合（同図では「はずれ」と表記）、図柄変動（ロ）より前の図柄変動（ハ）から再生されている「Ａ−２」のコマンドに対応する楽曲データのループ再生は、リーチ演出が実行されている期間において音量が零になる（ミュートされる）。
同図に図示される「特定リーチ演出」は、専用のＢＧＭとして図１７（ｄ）に図示した「Ａ−３」のコマンドに対応する楽曲データの再生を伴うものである為、遊技者にとっては楽曲Ａの繰り返し再生が中断して改めて楽曲Ａの１番パートの再生が開始されたかのような印象を受ける。なお、特定リーチ演出以外のリーチ演出が実行される場合には、そのリーチ演出に対応する専用ＢＧＭが再生されてもよいし、専用ＢＧＭを有さない場合には「Ａ−２」のコマンドに対応する楽曲データをミュートせずに、そのままの音量で再生を継続してもよい。
そして、楽曲選択手段２２８は、リーチ演出の終了後に楽曲Ａを頭出しして再生させる。具体的には、図柄変動（ロ）の変動停止時又は図柄変動（ハ）の変動開始時のいずれかに、楽曲選択手段２２８は、それまで再生していた「Ａ−２」のコマンドに対応する楽曲データのループ再生を終了させ、図１５及び図１６に図示されない処理によって、選曲カウンタのカウント値Ｎに対応する楽曲データのループ再生を開始させる為のコマンド（ここでは「Ａ−１」のコマンド）を第２副制御基板３００に送信する。
即ち、図２２（ｂ）に示す状況においては、同一の楽曲Ａが再生されるものの、その元になる楽曲データは、「Ａ−２」のコマンドに対応するもの、「Ａ−３」のコマンドに対応するもの、「Ａ−１」のコマンドに対応するもの、の順に変化する。
【０２１０】
なお、図２２（ｂ）ではリーチ演出の終了後に楽曲Ａを頭出しして再生させた後のタイムチャートについて図示省略するが、その後は、図１８に図示した状況と同様に、頭出し再生させた楽曲データ（ここでは「Ａ−１」のコマンドに対応する楽曲データ）の１番パートが終了するタイミングで当該楽曲データの再生を終了し、同じ楽曲の２番パートから始まる楽曲データ（「Ａ−２」のコマンドに対応する楽曲データ）のループ再生が１番パートの最終部分に連続するように開始される。
【０２１１】
従って、演出制御手段（通常演出制御手段２２０）は、大当りの当選を示唆する当選示唆演出を、演出手段を制御することによって実行可能であり、演出制御手段（第１副制御基板２００）は、第二の楽曲データ（「Ａ−２」のコマンドに対応する楽曲データ）を繰り返し再生させている図柄変動において特定の当選示唆演出（リーチ演出）が実行された場合の少なくとも一部において、該図柄変動の停止後に第一の楽曲データ（「Ａ−１」のコマンドに対応する楽曲データ）を再生させ、該第一の楽曲データの再生を終了させるとき、第一パート（楽曲Ａの１番パート）と第二パート（楽曲Ａの１番パート）とが連続するように第二の楽曲データを再生させるものと言える。
【０２１２】
更に、図２２（ｃ）に示すように、確変モード中に行われる図柄変動のうち一の図柄変動（ロ）において導入演出が特定リーチ演出に発展して大当りに当選する場合（同図では「大当り」と表記）、図２２（ｂ）と同様に、特定リーチ演出の実行期間に「Ａ−２」のコマンドに対応する楽曲データのループ再生がミュートされつつ、「Ａ−３」のコマンドに対応する楽曲データが再生される。
ここで、当選した大当りがスーパーボーナスである場合、楽曲選択手段２２８は、選曲カウンタのカウント値Ｎに「１」を加算し、加算後のカウント値Ｎに対応する楽曲データのループ再生を開始させる為のコマンド（ここでは「Ｂ−１」のコマンド）を第２副制御基板３００に送信する。
即ち、図２２（ｃ）に示す状況において再生される楽曲データは、「Ａ−２」のコマンドに対応するもの、「Ａ−３」のコマンドに対応するもの、「Ｂ−１」のコマンドに対応するもの、の順に変化する。
【０２１３】
なお、図２２（ｃ）ではスーパーボーナスの終了後のタイムチャートについて図示省略するが、その後は、図１８に図示した状況と同様に、スーパーボーナスにおいてループ再生した楽曲データ（ここでは「Ｂ−１」のコマンドに対応する楽曲データ）が当該スーパーボーナスの終了後における確変モードの滞在期間にまで跨がって行われ、その楽曲の１番パートが終了するタイミングにおいて当該楽曲データのループ再生が終了し、同じ楽曲の２番パートから始まる楽曲データ（「Ｂ−２」のコマンドに対応する楽曲データ）のループ再生が１番パートの最終部分に連続するように開始される。
【０２１４】
なお、図２２（ａ）及び図２２（ｂ）はいずれも、確変モード及び確変モードにおける大当りに起因する大当り遊技の実行期間について図示したが、本実施形態では、低確時短モード及び低確時短モードにおける大当りに起因する大当り遊技の実行期間においても同様の条件の元に、楽曲選択手段２２８によって同様の楽曲データの再生制御が実行される。即ち、図２２に図示している「確変モード」は、いずれも「低確時短モード」に置換することができる。
【０２１５】
また、図２２（ａ）及び図２２（ｂ）に図示した図柄変動（ロ）は確変モードであることを前提としたが、図柄変動（イ）が大当り遊技終了後の１００回目の図柄変動である場合には通常モードになりうる。この場合においても、図柄変動（ロ）において特定リーチ演出が実行される場合、楽曲Ａの再生（「Ａ−３」のコマンドに対応する楽曲データの再生）が生じうる。
言い換えれば、演出制御手段（第１副制御基板２００）は、第二の楽曲データ（「Ａ−２」のコマンドに対応する楽曲データの再生）が繰り返し再生されている図柄変動（図柄変動（イ））において第一遊技状態（特図高確且つ普図高確）が終了した場合の少なくとも一部において、該図柄変動に連続する次の図柄変動（図柄変動（ロ））において第一楽曲（楽曲Ａ）の一部を含み且つ第一の楽曲データとも第二の楽曲データとも異なる第五の楽曲データ（「Ａ−３」のコマンドに対応する楽曲データの再生）を再生させうるものと言える。
【０２１６】
ここまで、図１８〜図２２に図示したタイムチャートを用いて、楽曲データに係る音声制御の具体例について状況別に詳細に説明したが、本発明を実施する遊技機は、ここで説明した音声制御の全てを実現する必要はなく、本発明の目的を達する範囲において、一部の音声制御を省いてもよく、他の音声制御に変更してもよい。
【０２１７】
＜他の変形例＞
以上の説明で記載されていない変形例について、以下に列挙する。
上述した実施形態における遊技に関する仕様は、本発明の実施における一具体例であり、本発明の目的に反しない範囲内において適宜変更可能である。
例えば、特図高確且つ普図高確（確変モード）から特図低確且つ普図低確（通常モード）への遷移条件は、所定回数の図柄変動の終了（いわゆる回数切り確変）としたが、これに代えて転落当否判定に当選した図柄変動の終了とする仕様であってもよいし、これらのいずれも当該遷移条件としない仕様（いわゆるループ式確変）としてもよい。
また、小当り導出可能な仕様としたが、小当り導出不能（小当りの当選確率が零）である仕様としてもよい。
また、設定値の変更手段（設定変更手段）を備えない仕様としたが、設定変更手段を備える仕様としてもよい。ここで設定値とは、複数段階の設定値の中から選択的に設定されるものであり、設定変更手段を備える遊技機は、その時点で設定されている設定値によって大当りに当選する確率が定まる（設定値ごとに大当りの当選確率が変化し得る）。
【０２１８】
上述した実施形態では、特図高確且つ普図高確に滞在している期間の図柄変動において楽曲選択する場合には、選曲カウンタのカウント値Ｎに対応する楽曲と、現在再生中の楽曲と、が相違する場合に、選択した楽曲に対応する楽曲データを再生させる旨（図１６のステップＳ４１４参照）を説明したが、本発明の実施はこれに限られない。
即ち、演出制御手段（第１副制御基板２００）は、第一遊技状態（特図高確且つ普図高確）であり且つ第二の楽曲データ（「Ａ−２」のコマンドに対応する楽曲データ）を繰り返し再生させている図柄変動において楽曲選択手段（楽曲選択手段２２８）によって第一楽曲（楽曲Ａ）が再び選択された場合、第一の楽曲データ（「Ａ−１」のコマンドに対応する楽曲データ）を再生させ、該第一の楽曲データの再生が終了すると第二の楽曲データ（「Ａ−２」のコマンドに対応する楽曲データ）を再生させてもよい。そして、演出制御手段は、第一遊技状態であり且つ第二の楽曲データを繰り返し再生させている図柄変動において楽曲選択手段によって第二楽曲（楽曲Ｂ）が選択された場合、第三の楽曲データ（「Ｂ−１」のコマンドに対応する楽曲データ）を再生させ、該第三の楽曲データの再生が終了すると第四の楽曲データ（「Ｂ−２」のコマンドに対応する楽曲データ）を再生させてもよい。
【０２１９】
上述した実施形態で説明した「第一の場合」及び「第二の場合」は、大当りの種類（特図停止図柄の種類）や大当り終了後の状態によって分かれる実施例を述べたが、本発明の実施はこれに限られない。
例えば、大当りの連チャン回数に基づいて「第一の場合」及び「第二の場合」を分けてもよいし、大当り遊技中に再生される楽曲や動画の種類に基づいて「第一の場合」及び「第二の場合」を分けてもよい。
或いは、大当り遊技中に保留されている図柄変動に大当りに当選するものがある場合（いわゆる保留連が発生する場合）に、「第一の場合」及び「第二の場合」を分けてもよい。詳しく言えば、第一の場合及び第二の場合のうち一方は、大当りに当選することになる図柄変動の実行が大当り遊技中に保留されているときに該大当り遊技が終了した場合に生じうるものであってもよいし、第一の場合及び第二の場合のうち他方は、大当りに当選することになる図柄変動の実行が大当り遊技中に保留されていないときに該大当り遊技が終了した場合に生じうるものであってもよい。
【０２２０】
以上で説明した本発明は、上述の説明に限定されるものではなく、本発明の目的が達成される限りにおける種々の変形、改良等の態様も含む。
【０２２１】
＜付記＞
（１）図柄変動ごとに大当りに当選するか否かを判定する当否判定を実行し、前記大当りに当選した場合には当選した図柄変動の終了時に大当り遊技を開始する遊技機であって、音声出力手段を少なくとも含む演出手段と、前記演出手段を制御する演出制御手段と、を備え、前記演出制御手段は、前記大当り遊技の少なくとも一部において、該大当り遊技中に第一の楽曲データを再生させ、該大当り遊技の終了時において再生させている楽曲が前記第一の楽曲データの途中部分であるとき、該大当り遊技の終了後の図柄変動に跨がって該第一の楽曲データの再生を継続し、該第一の楽曲データの最終部分を再生させた後に該第一の楽曲データの再生を終了させる第一の場合があることを特徴とする遊技機。
（２）前記第一の楽曲データは、第一楽曲の一部である第一パートから構成されるものであり、前記演出制御手段によって再生させうる楽曲データには、前記第一の楽曲データと、前記第一パートの最終部分に対して前記第一楽曲において連続している第二パートから開始される第二の楽曲データと、が含まれ、前記演出制御手段は、前記第一の場合において前記第一の楽曲データの再生を終了させるとき、前記第一パートと前記第二パートとが連続するように前記第二の楽曲データを再生させる（１）に記載の遊技機。
（３）前記第二の楽曲データは、前記第二パートの終了部分が前記第一パートの開始部分につながる構成になっており、前記演出制御手段は、前記第一の場合における前記第一の楽曲データの再生後に、前記第二の楽曲データを繰り返し再生させる（２）に記載の遊技機。
（４）前記演出制御手段は、前記大当りの当選を示唆する当選示唆演出を、前記演出手段を制御することによって実行可能であり、前記演出制御手段は、前記第二の楽曲データを繰り返し再生させている図柄変動において特定の当選示唆演出が実行された場合の少なくとも一部において、該図柄変動の停止後に前記第一の楽曲データを再生させ、該第一の楽曲データの再生を終了させるとき、前記第一パートと前記第二パートとが連続するように前記第二の楽曲データを再生させる（３）に記載の遊技機。
（５）前記演出制御手段は、前記第二の楽曲データを繰り返し再生させている図柄変動において前記大当りに当選し、該図柄変動の終了時に前記大当り遊技が開始された場合の少なくとも一部において、該大当り遊技中に前記第一楽曲とは異なる第二楽曲の一部である第三パートから構成される第三の楽曲データを再生させ、該大当り遊技の終了時において再生させている楽曲が前記第三の楽曲データの途中部分であるとき、該大当り遊技の終了後の図柄変動に跨がって該第三の楽曲データの再生を継続し、該第三の楽曲データの最終部分を再生させた後に該第三の楽曲データの再生を終了させ、該第三の楽曲データの再生を終了させるとき、前記第三パートの最終部分に対して前記第二楽曲において連続している第四パートから開始される第四の楽曲データを、前記第三パートと前記第四パートとが連続するように再生させる（３）又は（４）に記載の遊技機。
（６）前記大当り遊技には、第一の大当り遊技と、前記第一の大当り遊技より不利な第二の大当り遊技と、が含まれ、前記演出制御手段は、前記第二の大当り遊技中に、演出の成否によって当該演出後の有利度合いを示す大当り演出を実行可能であり、前記演出制御手段は、前記第二の楽曲データを繰り返し再生させている図柄変動において大当りに当選し、該図柄変動の終了時に前記第二の大当り遊技が開始され且つ該第二の大当り遊技における大当り演出に成功した場合に該第二の大当り遊技中に前記第三の楽曲データを再生させ、該第二の大当り遊技の終了時において再生させている楽曲が前記第三の楽曲データの途中部分であるとき、該第二の大当り遊技の終了後の図柄変動に跨がって該第三の楽曲データの再生を継続し、該第三の楽曲データの最終部分を再生させた後に該第三の楽曲データの再生を終了させ、該第三の楽曲データの再生を終了させるとき、前記第四の楽曲データを、前記第三パートと前記第四パートとが連続するように再生させる（５）に記載の遊技機。
（ａ）前記大当り遊技の少なくとも一部が終了すると移行する第一遊技状態を含む複数の遊技状態のうち一の遊技状態に制御する遊技状態制御手段を備え、前記演出制御手段は、前記第二の楽曲データが繰り返し再生されている図柄変動において前記第一遊技状態が終了した場合の少なくとも一部において、該図柄変動に連続する次の図柄変動において前記第一楽曲の一部を含み且つ前記第一の楽曲データとも前記第二の楽曲データとも異なる第五の楽曲データを再生させうる（３）から（６）のいずれか一つに記載の遊技機。
（ｂ）前記大当り遊技の少なくとも一部が終了すると移行する第一遊技状態を含む複数の遊技状態のうち一の遊技状態に制御する遊技状態制御手段と、前記大当り遊技中及び前記第一遊技状態における図柄変動中に再生させる楽曲を、遊技者による任意の操作に応じて複数の楽曲の中から選択する楽曲選択手段と、を備え、前記演出制御手段は、前記第一遊技状態であり且つ前記第二の楽曲データを繰り返し再生させている図柄変動において前記楽曲選択手段によって前記第一楽曲が再び選択された場合、前記第一の楽曲データを再生させ、該第一の楽曲データの再生が終了すると前記第二の楽曲データを再生させ、前記第一遊技状態であり且つ前記第二の楽曲データを繰り返し再生させている図柄変動において前記楽曲選択手段によって前記第二楽曲が選択された場合、前記第三の楽曲データを再生させ、該第三の楽曲データの再生が終了すると前記第四の楽曲データを再生させる（５）又は（６）に記載の遊技機。
【符号の説明】
【０２２２】
１０  遊技機
１５  外枠
２０  前枠
２１  ヒンジ機構
２２  可動装飾体
２３  シリンダ錠
２５  透明部材
２７  上球受け皿
２９  下球受け皿
３１  操作ハンドル
３２  上枠部
３３（３３ａ、３３ｂ）  スピーカ
３４ａ、３４ｂ  左右側枠部
３５（３５ａ、３５ｂ、３５ｃ）  演出ランプ
３６  球抜き機構
３７  演出ボタン
３８（３８ａ、３８ｂ、３８ｃ、３８ｄ）  カーソルボタン
３９  メイン操作部
３９ａ  玉貸ボタン
３９ｂ  返却ボタン
４０  普通電動役物ソレノイド
４１  特別電動役物ソレノイド
５０  遊技盤
５０ａ  遊技領域
５１  外レール
５２  風車
５３  内レール
５５  大入賞口
５７  第１始動口
５９  第２始動口
６１  普通電動役物
６３  ゲート
６５  特別電動役物
６７  一般入賞口
６９  アウト口
７０  第１始動口センサ
７１  第２始動口センサ
７２  大入賞口センサ
７３  一般入賞口センサ
７４  ゲートセンサ
８０  演出表示装置
８１  メイン表示部
８２  サブ表示部
８２ａ  上サブ表示部
８２ｂ  左サブ表示部
８２ｃ  右サブ表示部
９０  図柄表示装置
９１  第１特別図柄表示装置
９２  第２特別図柄表示装置
９３  普通図柄表示装置
９４  第１特別図柄保留ランプ
９５  第２特別図柄保留ランプ
９６  普通図柄保留ランプ
１００  主制御基板
１０１  ＣＰＵ
１０２  ＲＯＭ
１０３  ＲＡＭ
１０４  Ｉ／Ｏポート
１０５  乱数回路
１１０  入球判定手段
１１５  メイン乱数発生手段
１２０  メイン保留制御手段
１３０  事前判定手段
１４０  特図抽選手段
１４１  特図当否判定手段
１４２  特図停止図柄抽選手段
１４３  特図変動パターン導出手段
１５０  普図抽選手段
１６０  大当り遊技制御手段
１６５  図柄表示制御手段
１７０  電動役物制御手段
１７５  遊技状態制御手段
１８０  メイン情報記憶手段
１８５  メインエラー制御手段
１９０  メインコマンド管理手段
２００  第１副制御基板
２０１  ＣＰＵ
２０２  ＲＯＭ
２０３  ＲＡＭ
２０４  Ｉ／Ｏポート
２１０  サブ乱数発生手段
２２０  通常演出制御手段
２２１  演出モード制御手段
２２２  演出ルート決定手段
２２３  先読み演出制御手段
２２４  サブ保留制御手段
２２５  演出内容決定手段
２２６  装飾図柄制御手段
２２７  大当り演出制御手段
２３０  サブエラー制御手段
２４０  ランプ制御手段
２５０  可動役物制御手段
２６０  サブ情報記憶手段
２７０  サブコマンド管理手段
３００  第２副制御基板
３０１  ＣＰＵ
３０２  ＲＯＭ
３０３  ＲＡＭ
３０４  Ｉ／Ｏポート
４００  払出制御基板
４０１  ＣＰＵ
４０２  ＲＯＭ
４０３  ＲＡＭ
Ｘ  第１流路
Ｙ  第２流路
【図１】
2020062085.tif 000003
【図２】
2020062085.tif 000004
【図３】
2020062085.tif 000005
【図４】
2020062085.tif 000006
【図５】
2020062085.tif 000007
【図６】
2020062085.tif 000008
【図７】
2020062085.tif 000009
【図８】
2020062085.tif 000010
【図９】
2020062085.tif 000011
【図１０】
2020062085.tif 000012
【図１１】
2020062085.tif 000013
【図１２】
2020062085.tif 000014
【図１３】
2020062085.tif 000015
【図１４】
2020062085.tif 000016
【図１５】
2020062085.tif 000017
【図１６】
2020062085.tif 000018
【図１７】
2020062085.tif 000019
【図１８】
2020062085.tif 000020
【図１９】
2020062085.tif 000021
【図２０】
2020062085.tif 000022
【図２１】
2020062085.tif 000023
【図２２】
2020062085.tif 000024